(57)【要約】  本発明の被監視者監視支援システムおよび該方法は、監視領域に所在する監視対象の被監視者に関わる所定のイベントを検知して通知することによって前記被監視者の監視を支援し、所定の作業者を特定する特定情報を外部から読み取って前記特定情報を通知し、前記通知された前記特定情報を管理し、前記管理されている前記特定情報が有る場合に、前記特定情報を外部から読み取った監視領域での検知の通知を停止する。
2019150684.tif 000002
【特許請求の範囲】
【請求項１】
監視領域に所在する監視対象の被監視者に関わる所定のイベントを検知して通知することによって前記被監視者の監視を支援する被監視者監視支援システムであって、
所定の作業者を特定する特定情報を外部から読み取って前記特定情報を通知する読取通知部と、
前記読取通知部から通知された前記特定情報を管理する管理部と、
前記管理部で管理されている前記特定情報が有る場合に、前記特定情報を外部から読み取った前記読取通知部の設けられた前記監視領域での検知の通知を停止する通知制御部とを備える、
被監視者監視支援システム。
【請求項２】
前記監視領域に対応して設けられ、前記監視領域内への入場の有無を検知する入場検知部をさらに備え、
前記通知制御部は、さらに、前記特定情報を外部から読み取った前記読取通知部の設けられた前記監視領域に対応する前記入場検知部で入場有りを検知した場合に、前記検知の通知を停止する、
請求項１に記載の被監視者監視支援システム。
【請求項３】
前記管理部は、既に管理している前記特定情報が前記読取通知部からさらに通知された場合に、前記既に管理している前記特定情報の管理を解除し、
前記通知制御部は、前記管理部で管理されている前記特定情報が無くなった場合に、前記管理の無くなった前記特定情報を外部から読み取った前記読取通知部の設けられた前記監視領域での前記検知の通知の停止を解除する、
請求項１または請求項２に記載の被監視者監視支援システム。
【請求項４】
請求項１ないし請求項３のいずれか１項に記載の被監視者監視支援システムであって、
監視領域に対応して設けられ、前記監視領域に所在する監視対象の被監視者に関わる所定のイベントを検知するセンサ装置と、
前記センサ装置と通信可能に接続され前記センサ装置から受信した検知結果を管理する中央管理装置と、
前記中央管理装置と通信可能に接続され前記中央管理装置を介して前記検知結果を受信して表示する端末装置とを備え、
前記通知制御部は、第１および第２サブ通知制御部から成り、
前記端末装置は、前記特定情報を記憶し、
前記読取通知部は、前記特定情報を前記端末装置から読み取って前記特定情報を前記センサ装置へ通知し、
前記センサ装置は、前記管理部と、前記第１サブ通知制御部とを備え、
前記第１サブ通知制御部は、前記管理部で管理されている前記特定情報が有る場合に、前記特定情報を前記端末装置から読み取った前記読取通知部の設けられた前記監視領域での前記検知結果の通知を停止するための制御信号を前記中央管理装置へ送信し、
前記中央管理装置は、前記第２サブ通知制御部を備え、
前記第２サブ通知制御部は、前記センサ装置から前記制御信号を受信した場合に、前記特定情報を前記端末装置から読み取った前記読取通知部の設けられた前記監視領域での前記検知の通知を停止する、
被監視者監視支援システム。
【請求項５】
監視領域に所在する監視対象の被監視者に関わる所定のイベントを検知して通知することによって前記被監視者の監視を支援する被監視者監視支援方法であって、
読取通知部により、所定の作業者を特定する特定情報を外部から読み取って前記特定情報を通知する読取通知工程と、
前記読取通知工程から通知された前記第１特定情報を管理する管理工程と、
前記管理工程で管理されている前記特定情報が有る場合に、前記特定情報を外部から読み取った前記読取通知部の設けられた前記監視領域での検知の通知を停止する通知制御工程とを備える、
被監視者監視支援方法。
【発明の詳細な説明】
【技術分野】
【０００１】
本発明は、監視対象である被監視者の監視を支援する被監視者監視支援システムおよび被監視者監視支援方法に関する。
【背景技術】
【０００２】
近年、超高齢社会の突入に伴って、看護業界や介護業界等の業務を補完する技術が、研究、開発されており、例えば、特許文献１および特許文献２に開示されている。【０００３】
この特許文献１に開示された被監視者監視装置は、監視対象である被監視者の所定の行動を検知して通知する被監視者監視装置であって、前記被監視者を監視する監視機能を停止する監視機能停止処理部を備える。【０００４】
前記特許文献２に開示された徘徊者監視装置は、出入口に設置され入退出者を感知する熱線センサー、同様に出入口付近に設置される外部受光器、それらの信号を受け取る連動装置および警戒解除リモコンで構成された徘徊検知装置であって、前記熱線センサーは、入居者及び外来不審者等を感知した場合、連動装置内に備えられた受信部に信号を送り、さらに連動装置内に備えられた制御部は、受信部からの信号を受け取り、外部受光器が警戒解除リモコンの操作によって、警戒状態が解除されたか否かを判断し、解除されていない場合、ナースコール親機などの報知機器に信号を送り、解除されている場合、ナースコール親機などの報知機器に信号を送る。【０００５】
ところで、被監視者を監視する被監視者監視装置は、前記被監視者における所定の行動を検知して通知する。しかしながら、被監視者監視装置の監視領域に、被監視者ではない、例えば介護や清掃等の所定の仕事を行う作業者が入ると、被監視者監視装置は、前記作業者における所定の行動を検知して通知してしまう虞がある。このような通知は、それ自体が無意味であるだけでなく、この通知によって前記作業者とは別の作業者が駆けつけると、無駄な駆け付けとなり、業務効率を低下させてしまう。【０００６】
前記特許文献１に開示された被監視者監視装置は、前記被監視者を監視する監視機能を停止する監視機能停止処理部を備えている。しかしながら、この監視機能停止処理部は、端末装置での監視者による監視機能停止操作によって監視機能を停止するので、前記被監視者監視装置では、監視機能の停止に、煩雑な監視機能停止操作が必要とされ、前記監視者が操作を誤って所望の被監視者ではない被監視者の監視機能を停止してしまう虞もある。【０００７】
前記特許文献２に開示された徘徊者監視装置では、警戒解除リモコンの操作によって警戒状態が解除されるので、施設関係者を除く他者も警戒解除リモコンを操作可能であり、必ずしも施設関係者による警戒解除リモコンの操作とは限らない。
【先行技術文献】
【特許文献】
【０００８】
【特許文献１】国際公開ＷＯ２０１６／１５２４２８号
【特許文献２】特開２００６−３３８２４３号公報
【発明の概要】
【０００９】
本発明は、上述の事情に鑑みて為された発明であり、その目的は、作業者の入場に応じて監視機能の停止を制御できる被監視者監視支援システムおよび被監視者監視支援方法を提供することである。
【００１０】
上述した目的を実現するために、本発明の一側面を反映した被監視者監視支援システムおよび被監視者監視支援方法は、監視領域に所在する監視対象の被監視者に関わる所定のイベントを検知して通知することによって前記被監視者の監視を支援し、所定の作業者を特定する特定情報を外部から読み取って前記特定情報を通知し、前記通知された前記特定情報を管理し、前記管理されている前記特定情報が有る場合に、前記特定情報を外部から読み取った監視領域での検知の通知を停止する。
【００１１】
発明の１または複数の実施形態により与えられる利点および特徴は、以下に与えられる詳細な説明および添付図面から十分に理解される。これら詳細な説明及び添付図面は、例としてのみ与えられるものであり本発明の限定の定義として意図されるものではない。
【図面の簡単な説明】
【００１２】
【図１】実施形態における被監視者監視支援システムの構成を示す図である。
【図２】前記被監視者監視支援システムにおける第１実施形態のセンサ装置の構成を示す図である。
【図３】前記被監視者監視支援システムにおける管理サーバ装置の構成を示す図である。
【図４】前記管理サーバ装置に記憶される装置間情報テーブルの構成を示す図である。
【図５】前記被監視者監視支援システムにおける携帯端末装置の構成を示す図である。
【図６】一例として、前記被監視者監視支援システムにおける通知の停止および停止解除に関する第１実施形態の動作を示すシーケンス図である。
【図７】図６に示す動作におけるＳＵ入出状況情報テーブルの変遷を説明するための図である。
【図８】他の一例として、前記被監視者監視支援システムにおける通知の停止および停止解除に関する第１実施形態の動作を示すシーケンス図である。
【図９】図８に示す動作におけるＳＵ入出状況情報テーブルの変遷を説明するための図である。
【図１０】一例として、前記被監視者監視支援システムにおけるイベント通知に関する動作を示すシーケンス図である。
【図１１】前記携帯端末装置に表示される待受け画面の一例を示す図である。
【図１２】前記携帯端末装置に表示される監視情報画面の一例を示す図である。
【図１３】前記携帯端末装置に表示されるナースコール受付画面の一例を示す図である。
【図１４】前記被監視者監視支援システムにおける第２実施形態のセンサ装置の構成を示す図である。
【図１５】一例として、前記被監視者監視支援システムにおける通知の停止および停止解除に関する第２実施形態の動作を示すシーケンス図である。
【図１６】図１５に示す動作におけるＳＵ入出状況情報テーブルの変遷を説明するための図である。
【図１７】他の一例として、前記被監視者監視支援システムにおける通知の停止および停止解除に関する第２実施形態の動作を示すシーケンス図である。
【図１８】図１７に示す動作におけるＳＵ入出状況情報テーブルの変遷を説明するための図である。
【発明を実施するための形態】
【００１３】
以下、図面を参照して、本発明の１または複数の実施形態が説明される。しかしながら、発明の範囲は、開示された実施形態に限定されない。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１４】
実施形態における被監視者監視支援システムは、監視領域に所在する監視対象の被監視者に関わる所定のイベントを検知して通知することによって前記被監視者の監視を支援するシステムであって、読取通知部と、管理部と、通知制御部とを備える。前記読取通知部は、所定の作業者を特定する特定情報を外部から読み取って前記特定情報を通知する。前記管理部は、前記読取通知部から通知された前記特定情報を管理する。前記通知制御部は、前記管理部で管理されている前記特定情報が有る場合に、前記特定情報を外部から読み取った前記読取通知部の設けられた前記監視領域での検知の通知を停止する。以下、このような被監視者監視支援システムがセンサ装置ＳＵ、識別装置ＲＤ、管理サーバ装置ＳＶおよび端末装置ＳＰ、ＴＡの複数の機器を備える場合について、より具体的に説明する。そして、この場合に、前記通知制御部、前記管理部、前記読取部および前記生成部それぞれは、これら複数の機器のうちのいずれに実装されて良い。
【００１５】
（第１実施形態）
図１は、実施形態における被監視者監視支援システムの構成を示す図である。なお、図１は、第１実施形態における被監視者監視支援システムＭＳａの構成を示すだけでなく、後述の第２実施形態における被監視者監視支援システムＭＳｂの構成も示す。図２は、前記被監視者監視支援システムにおける第１実施形態のセンサ装置の構成を示す図である。図３は、前記被監視者監視支援システムにおける管理サーバ装置の構成を示す図である。図４は、前記管理サーバ装置に記憶される装置間情報テーブルの構成を示す図である。図４Ａは、前記装置間情報テーブルのうちの通知先対応関係情報テーブルの構成を示し、図４Ｂは、前記装置間情報テーブルのうちの通信アドレス対応関係情報テーブルの構成を示す。図５は、前記被監視者監視支援システムにおける携帯端末装置の構成を示す図である。
【００１６】
前記被監視者監視支援装置をシステムとして実現したその一例の被監視者監視支援システムＭＳａは、監視すべき（見守るべき）監視対象（見守り対象）である被監視者（見守り対象者）Ｏｂ（Ｏｂ−１〜Ｏｂ−３）を検知して前記被監視者Ｏｂの監視を作業者ＮＳに対して支援するものであり、例えば、図１に示すように、１または複数のセンサ装置ＳＵａ（ＳＵａ−１〜ＳＵａ−３）と、１または複数の識別装置（ＩＤ装置）ＲＤａ（ＲＤａ−１〜ＲＤａ−３）と、管理サーバ装置ＳＶａと、固定端末装置ＳＰと、１または複数の携帯端末装置ＴＡａ（ＴＡａ−１、ＴＡａ−２）と、構内交換機（ＰＢＸ、Ｐｒｉｖａｔｅ  ｂｒａｎｃｈ  ｅｘｃｈａｎｇｅ）ＣＸとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。ネットワークＮＷは、通信信号を中継する例えばリピーター、ブリッジおよびルーター等の中継機が備えられても良い。図１に示す例では、これら複数のセンサ装置ＳＵａ−１〜ＳＵａ−３、管理サーバ装置ＳＶａ、固定端末装置ＳＰ、複数の携帯端末装置ＴＡａ−１、ＴＡａ−２および構内交換機ＣＸは、Ｌ２スイッチの集線装置（ハブ、ＨＵＢ）ＬＳおよびアクセスポイントＡＰを含む有線および無線の混在したＬＡＮ（例えばＩＥＥＥ８０２．１１規格に従ったＬＡＮ等）ＮＷによって互いに通信可能に接続されている。より詳しくは、複数のセンサ装置ＳＵａ−１〜ＳＵａ−３、管理サーバ装置ＳＶａ、固定端末装置ＳＰおよび構内交換機ＣＸは、集線装置ＬＳに接続され、複数の携帯端末装置ＴＡａ−１、ＴＡａ−２は、アクセスポイントＡＰを介して集線装置ＬＳに接続されている。そして、ネットワークＮＷは、ＴＣＰ（Ｔｒａｎｓｍｉｓｓｉｏｎ  ｃｏｎｔｒｏｌ  ｐｒｏｔｏｃｏｌ）およびＩＰ（Ｉｎｔｅｒｎｅｔ  ｐｒｏｔｏｃｏｌ）等のインターネットプロトコル群が用いられることによっていわゆるイントラネットを構成する。
【００１７】
被監視者監視支援システムＭＳａは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視支援システムＭＳａは、被監視者Ｏｂの種類に応じて、病院、老人福祉施設および住戸等の建物に好適に配設される。図１に示す例では、被監視者監視支援システムＭＳａは、複数の被監視者Ｏｂが入居する複数の居室ＲＭや、ナースステーション等の複数の居室を備える介護施設の建物に配設されている。
【００１８】
構内交換機（回線切換機）ＣＸは、ネットワークＮＷに接続され、携帯端末装置ＴＡａ同士における発信、着信および通話等の内線電話の制御を行って前記携帯端末装置ＴＡａ同士の内線電話を実施し、そして、例えば固定電話網や携帯電話網等の公衆電話網ＰＮを介して例えば固定電話機や携帯電話機等の外線電話機ＴＬに接続され、外線電話機ＴＬと携帯端末装置ＴＡａとの間における発信、着信および通話等の外線電話の制御を行って外線電話機ＴＬと携帯端末装置ＴＡａとの間における外線電話を実施するものである。構内交換機ＣＸは、例えば、デジタル交換機や、ＩＰ−ＰＢＸ（Ｉｎｔｅｒｎｅｔ  Ｐｒｏｔｏｃｏｌ  Ｐｒｉｖａｔｅ  Ｂｒａｎｃｈ  ｅＸｃｈａｎｇｅ）等である。
【００１９】
ＩＤ装置ＲＤａは、監視対象の被監視者Ｏｂが所在する監視領域に対応して設けられ、作業者ＮＳを特定する特定情報を外部から読み取って前記特定情報を通知する装置である。より具体的には、本実施形態では、ＩＤ装置ＲＤａは、後述のように前記特定情報を記憶する携帯端末装置ＴＡａから無線通信で前記特定情報を読み取り、この読み取った前記特定情報を有線通信または無線通信で、当該ＩＤ装置ＲＤａが設けられた前記監視領域に対応して設けられたセンサ装置ＳＵａへ通知するリーダである。すなわち、１対１で、あるいは、１対多で、あるいは、多対１で、あるいは、多対多で互いに対応付けられたＩＤ装置ＲＤａおよびセンサ装置ＳＵａは、同一の監視領域に対応付けられる。前記携帯端末装置ＴＡａには、後述するように、携帯電話装置、スマートフォンおよびタブレット端末装置等が含まれる。ＩＤ装置ＲＤａと携帯端末装置ＴＡａとの間における前記無線通信には、例えばＢｌｕｅｔｏｏｔｈ（登録商標）規格等の近距離無線通信が利用される。ＩＤ装置ＲＤａとセンサ装置ＳＵａとの間における前記有線通信または無線通信には、例えば前記ネットワークＮＷが利用されて良く、あるいは、ＩＤ装置ＲＤａとセンサ装置ＳＵａとの間における前記無線通信には、例えば前記近距離無線通信が利用されて良い。
【００２０】
前記監視領域は、被監視者監視支援システムＭＳａが配設される場所に応じた適宜な領域であり、本実施形態では、被監視者監視支援システムＭＳａが介護施設の建物に配設されるため、前記監視領域は、被監視者Ｏｂが居る介護施設の居室ＲＭである。このため、複数のＩＤ装置ＲＤａ−１〜ＲＤａ−３それぞれは、複数の居室ＲＭ−１〜ＲＭ−３それぞれに配設される。なお、例えば被監視者監視支援システムＭＳａが病院の建物に配設される場合には、前記監視領域は、被監視者Ｏｂが居る病院の居室（病室）であり、また例えば、被監視者監視支援システムＭＳａが住戸の建物に配設される場合には、前記監視領域は、被監視者Ｏｂが居る住戸の居室である。また、前記居室が複数の被監視者Ｏｂが所在するいわゆる大部屋である場合には、前記監視領域は、被監視者Ｏｂが使用する寝具を含む所定の領域であって良い。あるいは、前記監視領域は、住戸の居室における、被監視者Ｏｂが使用する寝具を含む所定の領域であって良い。
【００２１】
前記特定情報は、例えば、作業者ＮＳを特定し識別するための識別子である作業者識別子（作業者ＩＤ）である。前記作業者ＩＤは、例えば、作業者名、職員番号およびシリアル番号等の所定の符号列である。作業者ＮＳは、所定の仕事を行う者であり、被監視者監視支援システムＭＳａが配設される場所に応じた適宜な者である。より具体的には、作業者ＮＳは、主に、前記被監視者Ｏｂが患者である場合に前記患者に対し医療や看護等の各仕事を行う医師や看護師、前記被監視者Ｏｂが被介護者である場合に前記被介護者に対し介護の仕事を行う介護士、前記患者や前記被介護者等の栄誉管理の仕事を行う栄養士、および、清掃等の仕事を行う者等である。
【００２２】
なお、上述では、ＩＤ装置ＲＤａは、携帯端末装置ＴＡａから無線通信で前記特定情報を読み取り、この読み取った前記特定情報を有線通信または無線通信でセンサ装置ＳＵａへ通知するリーダであったが、これに限定されるものではなく、他の装置であっても良い。例えば、作業者ＮＳが携帯端末装置ＴＡａとは別途に、前記特定情報を記憶するＩＣカード（ＲＦタグ）または磁気カードを所持する場合には、ＩＤ装置ＲＤａは、前記ＩＣカード（ＲＦタグ）または前記磁気カードから前記特定情報を読み取り、この読み取った前記特定情報を有線通信または無線通信でセンサ装置ＳＵａへ通知するカードリーダであって良い。あるいは、作業者ＮＳが携帯端末装置ＴＡａとは別途に、前記特定情報を表す１次元コード（バーコード）または２次元コードを持つＩＤカードを所持する場合には、ＩＤ装置ＲＤａは、前記１次元コード（バーコード）または前記２次元コードから前記特定情報を読み取り、この読み取った前記特定情報を有線通信または無線通信でセンサ装置ＳＵａへ通知するコードリーダであって良い。なお、この場合において、前記携帯端末装置ＴＡａに前記特定情報が記憶され、前記特定情報を表す１次元コード（バーコード）または２次元コードが前記携帯端末装置ＴＡａに表示されても良い。
【００２３】
センサ装置ＳＵａは、監視対象の被監視者Ｏｂが所在する監視領域に対応して設けられ、ネットワークＮＷを介して他の装置ＳＶａ、ＳＰ、ＴＡａと通信する通信機能等を備え、被監視者Ｏｂに関わる所定のイベント（事象）を、管理サーバ装置ＳＶａへ通知する装置である。第１実施形態では、センサ装置ＳＵａは、ＩＤ装置ＲＤａから通知された前記特定情報（本実施形態では作業者ＩＤ）を管理して管理結果に基づいて前記検知の通知を制御するための制御信号を管理サーバ装置ＳＶａへ送信する。前記所定のイベント（事象）は、好適には対処が必要な所定のイベントであり、例えば、本実施形態では、被監視者Ｏｂにおける予め設定された所定の行動およびナースコールである。このため、本実施形態では、センサ装置ＳＵａは、被監視者Ｏｂにおける所定の行動を検知して検知結果を前記所定のイベントの一例として管理サーバ装置ＳＶａへ通知（送信）し、ナースコールを受け付けて前記ナースコールを前記所定のイベントの他の一例として管理サーバ装置ＳＶａへ通知（送信）し、端末装置ＳＰ、ＴＡａとの間で音声通話を行い、動画を含む画像を生成して端末装置ＳＰ、ＴＡａへ動画を配信し、そして、前記第１特定情報を管理して管理結果に基づいて前記制御信号を管理サーバ装置ＳＶａへ送信する装置である。このようなセンサ装置ＳＵａは、例えば、図２に示すように、撮像部１１と、センサ側音入出力部（ＳＵ音入出力部）１２と、ナースコール受付操作部１３と、センサ側制御処理部（ＳＵ制御処理部）１４ａと、センサ側通信インターフェース部（ＳＵ通信ＩＦ部）１５と、センサ側記憶部（ＳＵ記憶部）１６とを備える。
【００２４】
撮像部１１は、ＳＵ制御処理部１４ａに接続され、ＳＵ制御処理部１４ａの制御に従って、画像（画像データ）を生成する装置である。前記画像には、静止画（静止画データ）および動画（動画データ）が含まれる。撮像部１１は、前記監視領域（図１に示す例では配設場所の居室（部屋）ＲＭ）を監視可能に配置され、前記監視領域を撮像対象としてその上方から撮像し、前記撮像対象を俯瞰した画像（画像データ）を生成し、前記撮像対象の画像（対象画像）をＳＵ制御処理部１４ａへ出力する。好ましくは、監視対象の被監視者Ｏｂ全体を撮像できる蓋然性が高いことから、撮像部１１は、被監視者Ｏｂが横臥する寝具（例えばベッド等）における、被監視者Ｏｂの頭部が位置すると予定されている予め設定された頭部予定位置（通常、枕の配設位置）の直上から撮像対象を撮像できるように配設される。センサ装置ＳＵａは、この撮像部１１によって、被監視者Ｏｂを、被監視者Ｏｂの上方から撮像した画像、好ましくは前記頭部予定位置の直上から撮像した画像を取得する。このような撮像部１１は、例えば、可視光の画像を生成する可視カメラであって良いが、比較的暗がりでも被監視者Ｏｂを監視できるように、本実施形態では、赤外線の画像を生成する赤外線カメラである。
【００２５】
ＳＵ音入出力部１２は、音を入出力する回路である。すなわち、ＳＵ音入出力部１２は、ＳＵ制御処理部１４ａに接続され、ＳＵ制御処理部１４ａの制御に従って音を表す電気信号に応じた音を生成して出力するための回路であって、外部の音を取得してセンサ装置ＳＵａに入力するための回路である。ＳＵ音入出力部１２は、例えば、音の電気信号（音データ）を音の機械振動信号（音響信号）に変換するスピーカ等と、可聴領域の音の機械振動信号を電気信号に変換するマイクロフォン等とを備えて構成される。ＳＵ音入出力部１２は、外部の音を表す電気信号をＳＵ制御処理部１４ａへ出力し、また、ＳＵ制御処理部１４ａから入力された電気信号を音の機械振動信号に変換して出力する。
【００２６】
ナースコール受付操作部１３は、ＳＵ制御処理部１４ａに接続され、ナースコールを当該センサ装置ＳＵａに入力するための例えば押しボタン式スイッチ等のスイッチ回路である。なお、ナースコール受付操作部１３は、有線でＳＵ制御処理部１４ａに接続されて良く、また、例えばＢｌｕｅｔｏｏｔｈ（登録商標）規格等の前記近距離無線通信でＳＵ制御処理部１４ａに接続されて良い。
【００２７】
ＳＵ通信ＩＦ部１５は、ＳＵ制御処理部１４ａに接続され、ＳＵ制御処理部１４ａの制御に従って通信を行うための通信回路である。ＳＵ通信ＩＦ部１５は、ＳＵ制御処理部１４ａから入力された転送すべきデータを収容した通信信号を、この被監視者監視支援システムＭＳａのネットワークＮＷで用いられる通信プロトコルに従って生成し、この生成した通信信号をネットワークＮＷを介して他の装置ＳＶａ、ＳＰ、ＴＡａへ送信する。ＳＵ通信ＩＦ部１５は、ネットワークＮＷを介して他の装置ＳＶａ、ＳＰ、ＴＡａから通信信号を受信し、この受信した通信信号からデータを取り出し、この取り出したデータをＳＵ制御処理部１４ａが処理可能な形式のデータに変換してＳＵ制御処理部１４ａへ出力する。ＳＵ通信ＩＦ部１５は、例えば、ＩＥＥＥ８０２．１１規格等に従った通信インターフェース回路を備えて構成される。
【００２８】
なお、ＩＤ装置ＲＤａとセンサ装置ＳＵａとの間における前記有線通信または無線通信に前記ネットワークＮＷが利用されずに、例えば前記近距離無線通信が利用される場合には、ＳＵ通信ＩＦ部１５は、さらに、前記近距離無線通信に応じた通信インターフェース回路（例えばＢｌｕｅｔｏｏｔｈ（登録商標）規格の通信インターフェース回路）を備えて構成される。
【００２９】
ＳＵ記憶部１６は、ＳＵ制御処理部１４ａに接続され、ＳＵ制御処理部１４ａの制御に従って、各種の所定のプログラムおよび各種の所定のデータを記憶する回路である。前記各種の所定のプログラムには、例えば、所定のＳＵ制御処理プログラムが含まれ、前記ＳＵ制御処理プログラムには、例えば、センサ装置ＳＵａの各部１１〜１３、１５、１６を当該各部の機能に応じてそれぞれ制御するＳＵ制御プログラムや、被監視者Ｏｂに対する監視に関する所定の情報処理を実行するＳＵ監視処理プログラムや、ＩＤ装置ＲＤａから通知された前記特定情報（本実施形態では作業者ＩＤ）を管理するＳＵ管理処理プログラムや、前記ＳＵ管理処理プログラムの管理結果に基づいて前記検知の通知を制御するための制御信号を管理サーバ装置ＳＶａへ送信するＳＵ通知制御プログラム等が含まれる。前記ＳＵ監視処理プログラムには、被監視者Ｏｂにおける所定の行動を検知して検知結果を前記所定のイベント（事象）の一例として管理サーバ装置ＳＶａを介して所定の端末装置ＳＰ、ＴＡａへ通知する行動検知処理プログラムや、ナースコール受付操作部１３でナースコールを受け付けた場合にその旨を前記所定のイベントの他の一例として管理サーバ装置ＳＶａを介して所定の端末装置ＳＰ、ＴＡａへ通知し、ＳＵ音入出力部１２等を用いることで端末装置ＳＰ、ＴＡａとの間で音声通話を行うナースコール処理プログラムや、撮像部１１で生成した動画を、その動画を要求した端末装置ＳＰ、ＴＡａへストリーミングで配信するＳＵストリーミング処理プログラム等が含まれる。前記各種の所定のデータには、自機のセンサＩＤ、管理サーバ装置ＳＶａの通信アドレス、および、監視領域に対する作業者ＮＳの入出状況を表すＳＵ入出状況情報等の、各プログラムを実行する上で必要なデータ等が含まれる。前記センサＩＤ（センサ識別子）は、センサ装置ＳＵａを特定し識別するための識別子である。ＳＵ記憶部１６は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＳＵ記憶部１６は、前記所定のプログラムの実行中に生じるデータ等を記憶するいわゆるＳＵ制御処理部１４ａのワーキングメモリとなるＲＡＭ（Ｒａｎｄｏｍ  Ａｃｃｅｓｓ  Ｍｅｍｏｒｙ）等を含む。そして、ＳＵ記憶部１６は、前記ＳＵ入出状況情報を記憶するセンサ側入出状況情報記憶部（ＳＵ入出状況情報記憶部）１６１を機能的に備える。
【００３０】
ＳＵ入出状況情報記憶部１６１は、監視領域に対する作業者ＮＳの入出状況を表す前記ＳＵ入出状況情報を記憶するものである。本実施形態では、ＳＵ入出状況情報は、前記第１特定情報、本実施形態では、作業者ＩＤの記憶の有り無しによって、監視領域に対する作業者ＮＳの入出状況を表す。より具体的には、ＳＵ入出状況情報記憶部１６１は、後述の図７や図９に示すように、作業者ＩＤを登録する作業者ＩＤフィールド１６１１を備え、作業者ＩＤごとにレコードを持つセンサ側入出状況情報テーブル（ＳＵ入出状況情報テーブル）ＭＴａを記憶する。ＩＤ装置ＲＤａから作業者ＩＤが通知された場合に、この通知された作業者ＩＤがＳＵ入出状況情報テーブルＭＴａの作業者ＩＤフィールド１６１１に登録されていない場合には、新たなレコードが生成され、この新たに生成されたレコードの作業者ＩＤフィールド１６１１に前記通知された作業者ＩＤが登録され、これによって監視領域に作業者ＩＤを持つ作業者ＮＳが入場（入室、在室）した状況がＳＵ入出状況情報記憶部１６１に記憶される。一方、ＩＤ装置ＲＤａから作業者ＩＤが通知された場合に、この通知された作業者ＩＤがＳＵ入出状況情報テーブルＭＴａの作業者ＩＤフィールド１６１１に既に登録されている場合には、前記通知された作業者ＩＤを登録するレコードが削除され（作業者ＩＤフィールド１６１１から作業者ＩＤが消去され）、これによって監視領域から、作業者ＩＤを持つ作業者ＮＳが退場（退室、不在）した状況がＳＵ入出状況情報記憶部１６１に記憶される。
【００３１】
ＳＵ制御処理部１４ａは、センサ装置ＳＵａの各部１１〜１３、１５、１６を当該各部の機能に応じてそれぞれ制御し、被監視者Ｏｂに関わる所定のイベント（事象）を、管理サーバ装置ＳＶａへ通知するための回路である。そして、ＳＵ制御処理部１４ａは、前記第１特定情報を管理して管理結果に基づいて前記制御信号を管理サーバ装置ＳＶａへ送信するための回路でもある。より具体的には、本実施形態では、ＳＵ制御処理部１４ａは、被監視者Ｏｂにおける所定の行動を検知してその検知結果を前記所定のイベントの一例として管理サーバ装置ＳＶａへ通知（報知、送信）し、ナースコールを受け付けてそのナースコールを前記所定のイベントの他の一例として管理サーバ装置ＳＶａへ通知（報知、送信）し、端末装置ＳＰ、ＴＡａとの間で音声通話を行い、動画を含む画像を生成して端末装置ＳＰ、ＴＡａへ動画を配信し、そして、前記特定情報を管理して管理結果に基づいて前記制御信号を管理サーバ装置ＳＶａへ送信する。ＳＵ制御処理部１４ａは、例えば、ＣＰＵ（Ｃｅｎｔｒａｌ  Ｐｒｏｃｅｓｓｉｎｇ  Ｕｎｉｔ）およびその周辺回路を備えて構成される。ＳＵ制御処理部１４ａは、前記ＳＵ制御処理プログラムが実行されることによって、センサ側制御部（ＳＵ制御部）１４１、行動検知処理部１４２、ナースコール処理部１４３、センサ側ストリーミング処理部（ＳＵストリーミング処理部）１４４、センサ側管理処理部（ＳＵ管理処理部）１４５ａおよびセンサ側通知制御部（ＳＵ通知処理部）１４６を機能的に備える。
【００３２】
ＳＵ制御部１４１は、センサ装置ＳＵａの各部１１〜１３、１５、１６を当該各部の機能に応じてそれぞれ制御し、センサ装置ＳＵａの全体制御を司るものである。ＳＵ制御部１４１は、年月日時分秒で計時する。
【００３３】
行動検知処理部１４２は、被監視者Ｏｂにおける、予め設定された所定の行動を検知して検知結果を前記所定のイベントの一例として管理サーバ装置ＳＶａへ通知するものである。より具体的には、本実施形態では、前記所定の行動は、例えば、被監視者Ｏｂが起きた起床、被監視者Ｏｂが寝具から離れた離床、被監視者Ｏｂが寝具から落ちた転落、および、被監視者Ｏｂが倒れた転倒の４つの行動である。そして、行動検知処理部１４２は、例えば、撮像部１１で撮像した対象画像に基づいて被監視者Ｏｂの頭部を検出し、この検出した被監視者Ｏｂの頭部における大きさの時間変化に基づいて被監視者Ｏｂの起床、離床、転倒および転落を検知する。より詳しくは、まず、寝具ＢＤの所在領域およびに第１ないし第３閾値Ｔｈ１〜Ｔｈ３が前記各種の所定のデータの１つとして予めＳＵ記憶部１６に記憶される。前記第１閾値Ｔｈ１は、寝具ＢＤの所在領域内における横臥姿勢の頭部の大きさと座位姿勢の頭部の大きさとを識別するための閾値である。前記第２閾値Ｔｈ２は、寝具ＢＤの所在領域を除く居室ＲＭ内における立位姿勢の頭部の大きさであるか否かを識別するための閾値である。前記第３閾値Ｔｈ３は、寝具ＢＤの所在領域を除く居室ＲＭ内における横臥姿勢の頭部の大きさであるか否かを識別するための閾値である。そして、行動検知処理部１４２は、まず、対象画像から例えば背景差分法やフレーム差分法によって被監視者Ｏｂの人物の領域として動体領域を抽出する。次に、行動検知処理部１４２は、この抽出した動体領域から、例えば円形や楕円形のハフ変換によって、また例えば予め用意された頭部のモデルを用いたパターンマッチングによって、また例えば頭部検出用に学習したニューラルネットワークによって、被監視者Ｏｂの頭部領域を抽出する。そして、行動検知処理部１４２は、この抽出した頭部の位置および大きさから起床、離床、転倒および転落を検知する。例えば、行動検知処理部１４２は、この抽出した頭部の位置が寝具ＢＤの所在領域内であって、前記抽出した頭部の大きさが前記第１閾値Ｔｈ１を用いることによって横臥姿勢の大きさから座位姿勢の大きさへ時間変化した場合には、起床と判定し、前記起床を検知する。例えば、行動検知処理部１４２は、この抽出した頭部の位置が寝具ＢＤの所在領域内から寝具の所在領域外へ時間変化した場合であって、前記抽出した頭部の大きさが前記第２閾値Ｔｈ２を用いることによって或る大きさから立位姿勢の大きさへ時間変化した場合には、離床と判定し、前記離床を検知する。例えば、行動検知処理部１４２は、この抽出した頭部の位置が寝具ＢＤの所在領域内から寝具ＢＤの所在領域外へ時間変化した場合であって、前記抽出した頭部の大きさが前記第３閾値Ｔｈ３を用いることによって或る大きさから横臥姿勢の大きさへ時間変化した場合には、転落と判定し、前記転落を検知する。例えば、行動検知処理部１４２は、この抽出した頭部の位置が寝具ＢＤの所在領域を除く居室ＲＭ内であって、前記抽出した頭部の大きさが前記第３閾値Ｔｈ３を用いることによって或る大きさから横臥姿勢の大きさへ時間変化した場合には、転倒と判定し、前記転倒を検知する。
【００３４】
このように前記所定の行動を検知すると、行動検知処理部１４２は、被監視者Ｏｂに関わる所定のイベント（事象）の内容を表すイベント情報（事象情報）を収容した、前記イベントを通知するための通信信号（第１イベント通知通信信号）をＳＵ通信ＩＦ部１５で管理サーバ装置ＳＶａへ通知する。より詳しくは、行動検知処理部１４２は、自機のセンサＩＤ、前記イベントの内容を表すイベント情報、前記所定の行動の検知に用いられた対象画像を収容した第１イベント通知通信信号を、ＳＵ通信ＩＦ部１５を介して管理サーバ装置ＳＶａへ送信する。前記イベント情報は、本実施形態では、起床、離床、転落、転倒およびナースコール（ＮＣ）のうちの１または複数であり、ここでは、行動検知処理部１４２は、検知した起床、離床、転落および転倒のうちの１または複数を前記イベント情報として第１イベント通知通信信号に収容する。前記画像は、静止画および動画のうちの少なくとも一方であって良く、本実施形態では、まず、静止画が報知され、作業者の要求に応じて動画が配信される。なお、まず、動画が配信されても良く、また、静止画および動画が送信され、画面分割で静止画および動画が端末装置ＳＰ、ＴＡａに表示されても良い。
【００３５】
ナースコール処理部１４３は、ナースコール受付操作部１３でナースコールを受け付けた場合にその旨を前記所定のイベントの他の一例として収容した第１イベント通知通信信号を管理サーバ装置ＳＶａへ通知し、ＳＵ音入出力部１２等を用いることで端末装置ＳＰ、ＴＡａとの間で音声通話を行うものである。より具体的には、ナースコール処理部１４３は、ナースコール受付操作部１３が入力操作されると、自機のセンサＩＤおよび前記イベント情報としてナースコールを収容した第１イベント通知通信信号をＳＵ通信ＩＦ部１５を介して管理サーバ装置ＳＶａへ送信する。そして、ナースコール処理部１４３は、ＳＵ音入出力部１２等を用い、端末装置ＳＰ、ＴＡａとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行う。
【００３６】
ＳＵストリーミング処理部１４４は、ＳＵ通信ＩＦ部１５を介して固定端末装置ＳＰまたは携帯端末装置ＴＡａから動画の配信の要求があった場合に、この要求のあった固定端末装置ＳＰまたは携帯端末装置ＴＡａへ、撮像部１１で生成した動画（例えばライブの動画）をストリーミング再生でＳＵ通信ＩＦ部１５を介して配信するものである。
【００３７】
ＳＵ管理処理部１４５ａは、ＩＤ装置ＲＤａから通知された前記特定情報（本実施形態では作業者ＩＤ）を管理するものである。より具体的には、ＳＵ管理処理部１４５ａは、ＩＤ装置ＲＤａから作業者ＩＤが通知された場合に、この通知された作業者ＩＤが、ＳＵ入出状況情報記憶部１６１に記憶されているＳＵ入出状況情報テーブルＭＴａの作業者ＩＤフィールド１６１１に登録されていない場合には、新たなレコードを生成し、この新たに生成したレコードの作業者ＩＤフィールド１６１１に前記通知された作業者ＩＤを登録する。一方、ＳＵ管理処理部１４５ａは、ＩＤ装置ＲＤａから作業者ＩＤが通知された場合に、この通知された作業者ＩＤが、ＳＵ入出状況情報記憶部１６１に記憶されているＳＵ入出状況情報テーブルＭＴａの作業者ＩＤフィールド１６１１に既に登録されている場合には、前記通知された作業者ＩＤを登録するレコードを削除する（作業者ＩＤフィールド１６１１から作業者ＩＤを消去する）。このようにＳＵ管理処理部１４５ａは、作業者ＩＤの記憶の有り無しによって、監視領域に対する作業者ＮＳの入出状況を管理する。
【００３８】
ＳＵ通知制御部１４６は、ＳＵ管理処理部１４５ａの管理結果に基づいて前記検知の通知を制御するための制御信号を管理サーバ装置ＳＶａへ送信するものである。より具体的には、ＳＵ通知制御部１４６は、ＳＵ管理処理部１４５ａで管理されている前記特定情報（本実施形態では作業者ＩＤ）が有る場合に、前記特定情報を携帯端末装置ＴＡａから読み取った前記ＩＤ装置ＲＤａの設けられた前記監視領域（本実施形態では当該センサ装置ＳＵａが監視する監視領域）での検知の通知を停止するための第１制御信号（停止指示通知通信信号）を管理サーバ装置ＳＶａへ送信し、ＳＵ管理処理部１４５ａで管理されている前記特定情報（本実施形態では作業者ＩＤ）が無くなった場合に、前記管理の無くなった前記特定情報を携帯端末装置ＴＡａから読み取った前記ＩＤ装置ＲＤａの設けられた前記監視領域（本実施形態では当該センサ装置ＳＵａが監視する監視領域）での前記検知の通知の停止を解除するための第２制御信号（停止解除指示通知通信信号）を管理サーバ装置ＳＶａへ送信するものである。前記停止指示通知通信信号には、前記監視領域を特定するために、自機のセンサＩＤが収容され、前記検知の通知を停止するために、前記検知の通知の停止を指示する命令（コマンド）が収容される。前記停止解除指示通知通信信号には、前記監視領域を特定するために、自機のセンサＩＤが収容され、前記検知の通知の停止を解除するために、前記検知の通知の停止の解除を指示する命令（コマンド）が収容される。
【００３９】
前記センサＩＤは、例えば、被監視者名、居室名、製品番号およびシリアル番号等の所定の符号列である。
【００４０】
図１には、一例として、第１ないし第３センサ装置ＳＵａ−１〜ＳＵａ−３が示されており、第１センサ装置ＳＵａ−１は、第１ＩＤ装置ＲＤａ−１と共に、被監視者Ｏｂの一人であるＡさんＯｂ−１の居室ＲＭ−１（不図示）に配設され、第２センサ装置ＳＵａ−２は、第２ＩＤ装置ＲＤａ−２と共に、被監視者Ｏｂの一人であるＢさんＯｂ−２の居室ＲＭ−２（不図示）に配設され、そして、第３センサ装置ＳＵａ−３は、第３ＩＤ装置ＲＤａ−３と共に、被監視者Ｏｂの一人であるＣさんＯｂ−３の居室ＲＭ−３（不図示）に配設されている。
【００４１】
なお、ＳＵ通知制御部１４６は、前記管理部で管理されている前記特定情報が有る場合に、前記特定情報を前記端末装置から読み取った前記読取通知部の設けられた前記監視領域での前記検知結果の通知を停止するための制御信号を前記中央管理装置へ送信する前記第１サブ通知制御部の一例に相当する。
【００４２】
管理サーバ装置ＳＶａは、ネットワークＮＷを介して他の装置ＳＵａ、ＳＰ、ＴＡａと通信する通信機能を備え、センサ装置ＳＵａから前記所定のイベントの通知を受けると、被監視者Ｏｂに対する監視に関する情報（監視情報（本実施形態では例えば前記所定のイベント（センサ装置ＳＵａで検知した所定の行動の種類やセンサ装置ＳＵａで受け付けたナースコール）、被監視者Ｏｂの画像（静止画および動画）、および、前記通知を受けた時刻等））を管理し、前記所定のイベントを所定の端末装置ＳＰ、ＴＡａへ通知（再通知、再報知、送信）し、クライアント（本実施形態では端末装置ＳＰ、ＴＡａ等）の要求に応じたデータを前記クライアントに提供し、被監視者監視支援システムＭＳａ全体を管理する装置である。そして、本実施形態では、管理サーバ装置ＳＶａは、前記所定のイベントを所定の端末装置ＳＰ、ＴＡａへ通知（再通知、再報知、送信）する際、センサ装置ＳＵａから受信した前記制御信号（停止指示通知通信信号、停止解除指示通知通信信号）に応じて、前記検知の通知を制御する。このような管理サーバ装置ＳＶａは、例えば、図３に示すように、サーバ側通信インターフェース部（ＳＶ通信ＩＦ部）２１と、サーバ側制御処理部（ＳＶ制御処理部）２２と、サーバ側記憶部（ＳＶ記憶部）２３とを備える。
【００４３】
ＳＶ通信ＩＦ部２１は、ＳＵ通信ＩＦ部１５と同様に、ＳＶ制御処理部２２に接続され、ＳＶ制御処理部２２の制御に従って通信を行うための通信回路である。ＳＶ通信ＩＦ部２１は、例えば、ＩＥＥＥ８０２．１１規格等に従った通信インターフェース回路を備えて構成される。
【００４４】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、所定のＳＶ制御処理プログラムが含まれ、前記ＳＶ制御処理プログラムには、例えば、管理サーバ装置ＳＶａの各部２１、２３を当該各部の機能に応じてそれぞれ制御するＳＶ制御プログラムや、被監視者Ｏｂに対する監視に関する所定の情報処理を実行するＳＶ監視処理プログラムや、センサ装置ＳＵａから受信した制御信号（停止指示通知通信信号、停止解除指示通知通信信号）に応じて、前記検知の通知を制御するＳＶ通知制御プログラム等が含まれる。前記各種の所定のデータには、自機の、管理サーバ装置ＳＶａを特定し管理サーバ装置ＳＶａを識別するためのサーバ識別子（サーバＩＤ）や、被監視者Ｏｂの前記監視情報や、前記所定のイベントの通知先等の装置ＳＵａ、ＳＰ、ＴＡａ間の情報を表す装置間情報や、センサ装置ＳＵａに関するセンサ情報等の各プログラムを実行する上で必要なデータ等が含まれる。ＳＶ記憶部２３は、例えばＲＯＭやＥＥＰＲＯＭやＲＡＭ等を備える。なお、ＳＶ記憶部２３は、必要に応じて比較的大容量のハードディスク装置（ＨＤＤ）をさらに備えても良い。
【００４５】
そして、これら監視情報、装置間情報およびセンサ情報それぞれを記憶するために、ＳＶ記憶部２３は、サーバ側監視情報記憶部（ＳＶ監視情報記憶部）２３１、装置間情報記憶部２３２およびセンサ情報記憶部（センサ情報記憶部）２３３を機能的に備える。
【００４６】
ＳＶ監視情報記憶部２３１は、各装置ＳＵａ、ＳＰ、ＴＡａそれぞれとの間で送受信した被監視者Ｏｂの監視情報を記憶するものである。より具体的には、ＳＶ監視情報記憶部２３１には、本実施形態では、前記監視情報として、第１イベント通知通信信号等の通信信号に収容された各情報に基づいて、センサＩＤ、イベント情報（事象情報、本実施形態では起床、離床、転落、転倒およびナースコール）、受信時刻、対象画像（静止画および動画）および対処の有無（対応の受付の有無）等が互いに対応付けて記憶される。
【００４７】
装置間情報記憶部２３２は、前記装置間情報として、本実施形態では、通知先対応関係情報および通信アドレス対応関係情報等を記憶するものである。前記通知先対応関係情報は、センサ装置ＳＵａから送信された第１イベント通知通信信号等の通知先（再通知先、再報知先、送信先）を示す、送信元であるセンサＩＤと通知先（再通知先）である端末ＩＤとの対応関係、および、前記通知先への通知の許否を示す、送信元であるセンサＩＤと通知許否フラグとの対応関係を表す情報である。前記通信アドレス対応関係情報は、各装置ＳＵａ、ＳＰ、ＴＡａのＩＤ（センサＩＤ、端末ＩＤ）とその通信アドレスとの対応関係）を表す情報である。端末ＩＤは、端末装置ＳＰ、ＴＡａを特定し端末装置ＳＰ、ＴＡａを識別するための端末識別子である。
【００４８】
これら通知先対応関係情報および通信アドレス対応関係情報は、それぞれ、本実施形態では、テーブル形式で装置間情報記憶部２３２に記憶されている。この通知先対応関係情報を登録する通知先対応関係情報テーブルＡＴは、例えば、図４Ａに示すように、送信元のセンサ装置ＳＵａのセンサＩＤを登録する送信元フィールド２３２１と、送信元フィールド２３２１に登録されたセンサＩＤを持つセンサ装置ＳＵａから通知（送信）された前記監視情報等を送信する送信先の端末装置ＳＰ、ＴＡａの端末ＩＤを登録する通知先フィールド２３２２と、送信元フィールド２３２１に登録されたセンサＩＤを持つセンサ装置ＳＵａに対応する送信先への通知（送信）を許可するか否かを表す通知許否フラグを登録する通知許否フラグフィールド２３２３とを備え、センサＩＤ（センサ装置ＳＵａ）ごとにレコードを備える。前記通知許否フラグは、「０」で通知の許可（通知の停止の解除）を表し、「１」で通知の不許可（通知の停止）を表す。なお、デフォルトでは、通知許否フラグフィールドには、「０」が登録される。前記通信アドレス対応関係情報を登録する通信アドレス対応関係情報テーブルＤＴは、例えば、図４Ｂに示すように、各装置ＳＵａ、ＳＰ、ＴＡａの装置ＩＤ（センサＩＤ、端末ＩＤ）を登録する装置ＩＤフィールド２３２３と、装置ＩＤフィールド２３２３に登録された装置ＩＤを持つ各装置ＳＵａ、ＳＰ、ＴＡａの通信アドレスを登録する通信アドレスフィールド２３２４とを備え、各装置ＩＤ（各装置ＳＵａ、ＳＰ、ＴＡａ）ごとにレコードを備える。
【００４９】
センサ情報記憶部２３３は、センサ装置ＳＵａに関する情報であるセンサ情報を記憶するものである。本実施形態では、前記センサ情報は、例えば、センサ装置ＳＵａのセンサＩＤと、前記センサ装置ＳＵａの配設場所（監視領域）と、前記センサ装置ＳＵａの配設場所（監視領域）に所在する被監視者Ｏｂの被監視者名とを互いに対応付けた情報である。
【００５０】
ＳＶ制御処理部２２は、管理サーバ装置ＳＶａの各部２１、２３を当該各部の機能に応じてそれぞれ制御し、センサ装置ＳＵａから前記所定のイベントの通知を受けると、被監視者Ｏｂに対する監視に関する監視情報を管理し、前記所定のイベントを所定の端末装置ＳＰ、ＴＡａへ通知（再通知、再報知、送信）し、クライアントの要求に応じたデータを前記クライアントに提供し、被監視者監視支援システムＭＳａ全体を管理するための回路である。そして、本実施形態では、ＳＶ制御処理部２２は、前記所定のイベントを所定の端末装置ＳＰ、ＴＡａへ通知する際に、センサ装置ＳＵａから受信した前記制御信号（停止指示通知通信信号、停止解除指示通知通信信号）に応じて、前記検知の通知を制御する。ＳＶ制御処理部２２は、例えば、ＣＰＵおよびその周辺回路を備えて構成される。ＳＶ制御処理部２２は、前記ＳＶ制御処理プログラムが実行されることによって、サーバ側制御部（ＳＶ制御部）２２１、サーバ側監視処理部（ＳＶ監視処理部）２２２およびサーバ側通知制御部（ＳＶ通知制御部）２２３を機能的に備える。
【００５１】
ＳＶ制御部２２１は、管理サーバ装置ＳＶａの各部２１、２３を当該各部の機能に応じてそれぞれ制御し、管理サーバ装置ＳＶａの全体制御を司るものである。ＳＶ制御部２２１は、年月日時分秒で計時する。
【００５２】
ＳＶ通知制御部２２３は、前記所定のイベントを所定の端末装置ＳＰ、ＴＡａへ通知する際に、センサ装置ＳＵａから受信した前記制御信号（停止指示通知通信信号、停止解除指示通知通信信号）に応じて、前記検知の通知を制御するものである。本実施形態では、ＳＶ通知制御部２２３は、センサ装置ＳＵａから受信した前記制御信号（停止指示通知通信信号、停止解除指示通知通信信号）に応じて装置間情報記憶部２３２に記憶されている通知先対応関係情報テーブルＡＴの通知許否フラグを更新することで、前記通知を制御する。より具体的には、センサ装置ＳＵａから前記制御信号として停止指示通知通信信号を受信した場合には、ＳＶ通知制御部２２３は、この受信した停止指示通知通信信号に収容されているセンサＩＤおよび停止命令を取り出し、この取り出したセンサＩＤを送信元フィールド２３２１に登録するレコードを、通知先対応関係情報テーブルＡＴから選定（検索）し、この選定したレコードにおける通知許否フラグフィールド２３２３に、前記取り出した停止命令に従って、通知許否フラグ「１」を登録する。これによって前記所定のイベントを所定の端末装置ＳＰ、ＴＡａへ通知する際における前記通知が停止される。一方、センサ装置ＳＵａから前記制御信号として停止解除指示通知通信信号を受信した場合には、ＳＶ通知制御部２２３は、この受信した第１停止解除指示通知通信信号に収容されているセンサＩＤおよび停止解除命令を取り出し、この取り出したセンサＩＤを送信元フィールド２３２１に登録するレコードを、通知先対応関係情報テーブルＡＴから選定（検索）し、この選定したレコードにおける通知許否フラグフィールド２３２３に、前記取り出した停止解除命令に従って、通知許否フラグ「０」を登録する。これによって前記所定のイベントを所定の端末装置ＳＰ、ＴＡａへ通知する際における前記通知の停止が解除される。
【００５３】
ＳＶ監視処理部２２２は、センサ装置ＳＵａから前記所定のイベントの通知を受信すると被監視者Ｏｂに対する監視に関する監視情報を管理し、装置間情報記憶部２３２に記憶されている通知許否フラグに基づいて前記所定のイベントを所定の端末装置ＳＰ、ＴＡａへ通知するものである。
【００５４】
より具体的には、ＳＶ監視処理部２２２は、センサ装置ＳＵａから前記第１イベント通知通信信号を受信すると、この受信した第１イベント通知通信信号に収容された、被監視者Ｏｂに対する監視に関する監視情報をＳＶ監視情報記憶部２３１に記憶（記録）する。ＳＶ監視処理部２２２は、この受信した第１イベント通知通信信号を送信したセンサ装置ＳＵａに対応する通知先（再通知先、転送先、送信先）および通知許否フラグを、装置間情報記憶部２３２に記憶された前記通知先対応関係情報から選定（検索）し、選定結果に基づき必要に応じて第２イベント通知通信信号を生成し、前記第２イベント通知通信信号を生成した場合には、前記第２イベント通知通信信号をＳＶ通信ＩＦ部２１で送信する。より詳しくは、ＳＶ監視処理部２２２は、まず、この受信した第１イベント通知通信信号に収容されているセンサＩＤを取り出し、この取り出したセンサＩＤを送信元フィールド２３２１に登録するレコードを、通知先対応関係情報テーブルＡＴから選定（検索）し、この選定したレコードにおける通知先フィールド２３２２および通知許否フラグフィールド２３２３それぞれから、通知先の端末ＩＤおよび通知許否フラグを取り出す。そして、ＳＶ監視処理部２２２は、この取り出した通知許否フラグが「１」である場合には、前記第２イベント通知通信信号を生成することなく、処理を終了する。一方、ＳＶ監視処理部２２２は、前記取り出した通知許否フラグが「０」である場合には、前記取り出した通知先の端末ＩＤを持つ端末装置ＳＰ、ＴＡａ宛に、前記第２イベント通知通信信号を生成し、この生成した第２イベント通知通信信号をＳＶ通信ＩＦ部２１で送信する。前記第１イベント通知通信信号に収容されたイベント情報が前記所定の行動（起床、離床、転落および転倒のうちの１または複数）である場合には、前記第２イベント通知通信信号には、第１イベント通知通信信号に収容されたセンサＩＤ、イベント情報および対象画像、ならびに、動画のダウンロード先として、第１イベント通知通信信号に収容されたセンサＩＤを持つセンサ装置ＳＵａに対応する通信アドレスが収容される。この通信アドレスは、前記受信した第１イベント通知通信信号を送信したセンサ装置ＳＵａに対応するセンサＩＤに基づいて通信アドレス対応関係情報から選定（検索）される。前記第１イベント通知通信信号に収容されたイベント情報が前記ナースコールである場合には、前記第２イベント通知通信信号には、第１イベント通知通信信号に収容されたセンサＩＤおよびイベント情報が収容される。
【００５５】
なお、管理サーバ装置ＳＶａは、図３に破線で示すように、必要に応じて、さらに、ＳＶ制御処理部２２に接続され例えば各種コマンドや各種データ等を入力するサーバ側入力部（ＳＶ入力部）２４、ＳＶ入力部２４で入力された各種コマンドや各種データおよび被監視者Ｏｂに対する監視に関する監視情報等を出力するサーバ側出力部（ＳＶ出力部）２５、および、外部機器との間でデータの入出力を行うサーバ側インターフェース部（ＳＶＩＦ部）２６等を備えても良い。
【００５６】
このような管理サーバ装置ＳＶａは、例えば、通信機能付きのコンピュータによって構成可能である。
【００５７】
なお、この管理サーバ装置ＳＶａは、中央処理装置の一例に相当する。ＳＶ通知制御部２２３は、前記センサ装置から前記制御信号を受信した場合に、前記特定情報を前記端末装置から読み取った前記読取通知部の設けられた前記監視領域での前記検知の通知を停止する第２サブ通知制御部の一例に相当する。前記管理部で管理されている前記特定情報が有る場合に、前記特定情報を外部から読み取った前記読取通知部の設けられた前記監視領域での検知の通知を停止する通知制御部は、本実施形態では、センサ装置ＳＵａのＳＵ通知制御部１４６と管理サーバ装置ＳＶａのＳＶ通知制御部２２３とから成る。
【００５８】
固定端末装置ＳＰは、ネットワークＮＷを介して他の装置ＳＵａ、ＳＶａ、ＴＡａと通信する通信機能、所定の情報を表示する表示機能、および、所定の指示やデータを入力する入力機能等を備え、管理サーバ装置ＳＶａや携帯端末装置ＴＡａに与える所定の指示やデータを入力したり、センサ装置ＳＵａで得られた監視情報を表示したり等することによって、被監視者監視支援システムＭＳａの作業者インターフェース（ＵＩ）として機能する機器である。このような固定端末装置ＳＰは、例えば、通信機能付きのコンピュータによって構成可能である。なお、前記端末装置の一例としての固定端末装置ＳＰは、携帯端末装置ＴＡａと同様に動作するが、本明細書では、前記端末装置の他の一例である携帯端末装置ＴＡａについて説明される。
【００５９】
携帯端末装置ＴＡａは、ネットワークＮＷを介して他の装置ＳＶａ、ＳＰ、ＳＵａと通信する通信機能、所定の情報を表示する表示機能、所定の指示やデータを入力する入力機能、および、音声通話を行う通話機能等を備え、管理サーバ装置ＳＶａやセンサ装置ＳＵａに与える所定の指示やデータを入力したり、管理サーバ装置ＳＶａからの通知によってセンサ装置ＳＵａで得られた前記監視情報を表示したり、センサ装置ＳＵａとの間で音声通話によってナースコールの応答や声かけしたり等するための機器である。そして、本実施形態では、携帯端末装置ＴＡａは、前記特定情報（本実施形態では作業者ＩＤ）を記憶し、この前記特定情報をＩＤ装置ＲＤａに読み取らせる。このような携帯端末装置ＴＡａは、本実施形態では、例えば、図５に示すように、端末側通信インターフェース部（ＴＡ通信ＩＦ部）３１と、端末側制御処理部（ＴＡ制御処理部）３２と、端末側記憶部（ＴＡ記憶部）３３と、端末側音入出力部（ＴＡ音入出力部）３４と、端末側入力部（ＴＡ入力部）３５と、端末側表示部（ＴＡ表示部）３６と、端末側インターフェース部（ＴＡＩＦ部）３７とを備える。
【００６０】
ＴＡ音入出力部３４は、ＳＵ音入出力部１２と同様に、ＴＡ制御処理部３２に接続され、外部の音を取得して携帯端末装置ＴＡａに入力するための回路であって、ＴＡ制御処理部３２の制御に従って音を表す電気信号に応じた音を生成して出力するための回路である。
【００６１】
ＴＡ入力部３５は、ＴＡ制御処理部３２に接続され、例えば、所定の操作を受け付け、携帯端末装置ＴＡａに入力する回路であり、例えば、所定の機能を割り付けられた複数の入力スイッチ等である。前記所定の操作には、例えば、ログインするための作業者ＩＤの入力操作や、音声通話の要求操作およびその終了操作や、ライブでの動画の要求操作およびその終了操作や、前記通知されたイベントに関わる被監視者Ｏｂに対する例えば救命、看護、介護および介助等の対応（対処、応対）を実行する意思がある旨（“対応する”）の入力操作等の、監視する上で必要な各種操作等が含まれる。ＴＡ表示部３６は、ＴＡ制御処理部３２に接続され、ＴＡ制御処理部３２の制御に従って、ＴＡ入力部３５から入力された所定の操作内容や、被監視者監視支援システムＭＳａによって監視されている被監視者Ｏｂに対する監視に関する前記監視情報（例えば前記所定のイベント（センサ装置ＳＵａで検知した所定の行動の種類やセンサ装置ＳＵａで受け付けたナースコール）、被監視者Ｏｂの画像（静止画および動画）、および、前記通知を受けた時刻等）等を表示する回路であり、例えばＬＣＤ（液晶ディスプレイ）および有機ＥＬディスプレイ等の表示装置である。そして、本実施形態では、ＴＡ入力部３５およびＴＡ表示部３６からタッチパネルが構成されている。この場合において、ＴＡ入力部３５は、例えば抵抗膜方式や静電容量方式等の操作位置を検出して入力する位置入力デバイスである。このタッチパネルでは、ＴＡ表示部３６の表示面上に位置入力デバイスが設けられ、ＴＡ表示部３６に入力可能な１または複数の入力内容の候補が表示され、例えば看護師や介護士等の作業者（ユーザ）ＮＳが、入力したい入力内容を表示した表示位置を触れると、位置入力デバイスによってその位置が検出され、検出された位置に表示された表示内容が作業者ＮＳの操作入力内容として携帯端末装置ＴＡａに入力される。
【００６２】
ＴＡＩＦ部３７は、ＴＡ制御処理部３２に接続され、ＴＡ制御処理部３２の制御に従って、外部機器との間でデータの入出力を行う回路である。ＴＡＩＦ部３７は、例えばＢｌｕｅｔｏｏｔｈ（登録商標）規格を用いたインターフェース回路やＩｒＤＡ規格等の赤外線通信を行うインターフェース回路等の近距離無線通信を行うインターフェース回路、および、ＵＳＢ規格を用いたインターフェース回路等である。
【００６３】
ＴＡ通信ＩＦ部３１は、ＳＵ通信ＩＦ部１５と同様に、ＴＡ制御処理部３２に接続され、ＴＡ制御処理部３２の制御に従って通信を行うための通信回路である。ＴＡ通信ＩＦ部３１は、例えば、ＩＥＥＥ８０２．１１規格等に従った通信インターフェース回路を備えて構成される。
【００６４】
ＴＡ記憶部３３は、ＴＡ制御処理部３２に接続され、ＴＡ制御処理部３２の制御に従って、各種の所定のプログラムおよび各種の所定のデータを記憶する回路である。前記各種の所定のプログラムには、例えば、所定のＴＡ制御処理プログラムが含まれ、前記ＴＡ制御処理プログラムには、例えば、携帯端末装置ＴＡａの各部３１、３３〜３７を当該各部の機能に応じてそれぞれ制御するＴＡ制御プログラムや、被監視者Ｏｂに対する監視に関する所定の情報処理を実行するＴＡ監視処理プログラムや、ＴＡ音入出力部３４等を用いることでセンサ装置ＳＵａとの間で音声通話を行う通話処理プログラムや、センサ装置ＳＵａから動画の配信を受け、前記配信を受けた動画をストリーミング再生でＴＡ表示部３６に表示するＴＡストリーミング処理プログラムや、前記特定情報（本実施形態では作業者ＩＤ）をＩＤ装置ＲＤａへ出力する作業者ＩＤ情報出力処理プログラム等の制御処理プログラムが含まれる。前記各種の所定のデータでは、自機の端末ＩＤ、自機の前記特定情報（本実施形態では作業者ＩＤ）、ＴＡ表示部３６に表示される画面情報、被監視者Ｏｂの前記監視情報およびセンサ装置ＳＵａに関するセンサ情報等の各プログラムを実行する上で必要なデータ等が含まれる。ＴＡ記憶部３３は、例えばＲＯＭやＥＥＰＲＯＭやＲＡＭ等を備える。これら監視情報および前記特定情報（本実施形態では作業者ＩＤ）それぞれを記憶するために、ＴＡ記憶部３３は、端末側監視情報記憶部（ＴＡ監視情報記憶部）３３１および作業者ＩＤ情報記憶部３３２を機能的に備える。なお、前記端末ＩＤと作業者ＩＤとは、同一であっても、異なっても良い。
【００６５】
ＴＡ監視情報記憶部３３１は、被監視者Ｏｂの前記監視情報を記憶するものである。本実施形態では、ＴＡ監視情報記憶部３３１は、前記監視情報として、管理サーバ装置ＳＶａから受信した第２イベント通知通信信号に収容されたセンサＩＤ、イベント情報（イベント情報、本実施形態では起床、離床、転落、転倒およびナースコール）、画像および動画のダウンロード先のセンサ装置ＳＵａの通信アドレス、ならびに、当該第２イベント通知通信信号の受信時刻および対処の有無等を互いに対応付けて記憶する。
【００６６】
作業者ＩＤ情報記憶部３３２は、作業者ＮＳを特定する特定情報、本実施形態では作業者ＩＤを記憶するものである。作業者ＩＤは、例えば、予め携帯端末装置ＴＡａに登録されて作業者ＩＤ情報記憶部３３２に記憶されて良く、あるいは、例えば、ログインの際にＴＡ入力部３５から入力され、作業者ＩＤ情報記憶部３３２に記憶されて良い。
【００６７】
ＴＡ制御処理部３２は、携帯端末装置ＴＡａの各部３１、３３〜３７を当該各部の機能に応じてそれぞれ制御し、被監視者Ｏｂの前記監視情報を受けて表示し、ナースコールの応答や声かけするための回路である。そして、第１実施形態では、ＴＡ制御処理部３２は、特定情報をＩＤ装置ＲＤａに読み取らせる。ＴＡ制御処理部３２は、例えば、ＣＰＵおよびその周辺回路を備えて構成される。ＴＡ制御処理部３２は、ＴＡ制御処理プログラムが実行されることによって、端末側制御部（ＴＡ制御部）３２１、端末側監視処理部（ＴＡ監視処理部）３２２、通話処理部３２３、端末側ストリーミング処理部（ＴＡストリーミング処理部）３２４および作業者ＩＤ情報出力処理部３２５を機能的に備える。
【００６８】
ＴＡ制御部３２１は、携帯端末装置ＴＡａの各部３１、３３〜３７を当該各部の機能に応じてそれぞれ制御し、携帯端末装置ＴＡａの全体制御を司るものである。ＴＡ制御部３２１は、年月日時分秒で計時する。
【００６９】
ＴＡ監視処理部３２２は、被監視者Ｏｂに対する監視に関する所定の情報処理を実行するものである。より具体的には、ＴＡ監視処理部３２２は、センサ装置ＳＵａによって送信された第１イベント通知通信信号、に起因して管理サーバ装置ＳＶａによって送信された第２イベント通知通信信号を受信した場合に、この受信した第２イベント通知通信信号に収容された各情報（各データ）に基づき、被監視者Ｏｂの監視情報をＴＡ監視情報記憶部３３１に記憶（記録）する。ＴＡ監視処理部３２２は、この受信した第２イベント通知通信信号に収容された各情報に応じた画面をＴＡ表示部３６に表示する。そして、ＴＡ監視処理部３２２は、ＴＡ入力部３５から所定の入力操作を受け付けると、その入力操作に応じた所定の処理を実行する。
【００７０】
通話処理部３２３は、ＴＡ音入出力部３４等を用いることでセンサ装置ＳＵａとの間で音声通話を行うものである。より具体的には、例えば、通話処理部３２３は、ＴＡ音入出力部３４等を用い、第２イベント通知通信信号の送信の原因となった第１イベント通知通信信号を管理サーバ装置ＳＶａへ送信した送信元のセンサ装置ＳＵａとの間で例えばＶｏＩＰによって音声通話を行う。
【００７１】
ＴＡストリーミング処理部３２４は、センサ装置ＳＵａから動画の配信を受け、前記配信を受けた動画をストリーミング再生でＴＡ表示部３６に表示するものである。
【００７２】
作業者ＩＤ情報出力処理部３２５は、前記特定情報として作業者ＩＤ情報記憶部３３２に記憶されている作業者ＩＤをＩＤ装置ＲＤａへＴＡＩＦ部３７で出力するものである。
【００７３】
このような携帯端末装置ＴＡａは、例えば、いわゆるタブレット型コンピュータやスマートフォンや携帯電話機等の、持ち運び可能な通信端末装置によって構成可能である。
【００７４】
次に、本実施形態の動作について説明する。図６は、一例として、前記被監視者監視支援システムにおける通知の停止および停止解除に関する第１実施形態の動作を示すシーケンス図である。図７は、図６に示す動作におけるＳＵ入出状況情報テーブルの変遷を説明するための図である。図７には、紙面左側から紙面右側へ順に、時刻ｔ１１、時刻ｔ１２および時刻ｔ１３それぞれの各ＳＵ入出状況情報テーブルＭＴａ−ｔ１１、ＭＴａ−ｔ１２、ＭＴａ−ｔ１３が示されている。図８は、他の一例として、前記被監視者監視支援システムにおける通知の停止および停止解除に関する第１実施形態の動作を示すシーケンス図である。図９は、図８に示す動作におけるＳＵ入出状況情報テーブルの変遷を説明するための図である。図９には、紙面左側から紙面右側へ順に、時刻ｔ２１、時刻ｔ２２、時刻ｔ２３、時刻ｔ２４および時刻ｔ２５それぞれの各ＳＵ入出状況情報テーブルＭＴａ−ｔ２１、ＭＴａ−ｔ２２、ＭＴａ−ｔ２３、ＭＴａ−ｔ２４、ＭＴａ−ｔ２５が示されている。図１０は、一例として、前記被監視者監視支援システムにおけるイベント通知に関する動作を示すシーケンス図である。図１１は、前記携帯端末装置に表示される待受け画面の一例を示す図である。図１２は、前記携帯端末装置に表示される監視情報画面の一例を示す図である。図１３は、前記携帯端末装置に表示されるナースコール受付画面の一例を示す図である。
【００７５】
上記構成の被監視者監視支援システムＭＳａでは、各装置ＳＵａ、ＲＤａ、ＳＶａ、ＳＰ、ＴＡａは、電源が投入されると、必要な各部の初期化を実行し、その稼働を始める。センサ装置ＳＵａでは、そのＳＵ制御処理プログラムの実行によって、ＳＵ制御処理部１４ａには、ＳＵ制御部１４１、行動検知処理部１４２、ナースコール処理部１４３、ＳＵストリーミング処理部１４４、ＳＵ管理処理部１４５ａおよびＳＵ通知制御部１４６が機能的に構成される。管理サーバ装置ＳＶａでは、そのＳＶ制御処理プログラムの実行によって、ＳＶ制御処理部２２には、ＳＶ制御部２２１、ＳＶ監視処理部２２２およびＳＶ通知制御部２２３が機能的に構成される。そして、携帯端末装置ＴＡａでは、そのＴＡ制御処理プログラムの実行によって、ＴＡ制御処理部３２には、ＴＡ制御部３２１、ＴＡ監視処理部３２２、通話処理部３２３、ＴＡストリーミング処理部３２４および作業者ＩＤ情報出力処理部３２５が機能的に構成される。
【００７６】
以下では、まず、被監視者監視支援システムＭＳａにおける通知の停止および停止解除に関する第１実施形態の動作について説明し、次に、被監視者監視支援システムＭＳａにおける所定のイベントの通知に関する動作について説明する。
【００７７】
（通知の停止および停止解除）
ここで、以下の説明において、一例として、その当初では、携帯端末装置ＴＡａ−１には、例えばログイン操作の際に、この携帯端末装置ＴＡａ−１を携行する作業者ＮＳ−１によって作業者ＩＤ；「ＩＤ−ＮＡ」が入力され、作業者ＩＤ；「ＩＤ−ＮＡ」が予め記憶されているものとする。そして、居室ＲＭ−１には、作業者ＮＳが在室せず、ＳＵ入出状況情報記憶部１６１に記憶されているＳＵ入出状況情報テーブルＭＴａ−ｔ１１には、図７の紙面左側に示すように、作業者ＩＤが登録（記憶）されていないものとする。
【００７８】
前記通知の停止および停止解除に関する第１実施形態の動作では、図６において、例えば所定のイベントの通知によって、あるいは、例えば看護計画や介護計画に従って、あるいは、例えば清掃業務等で、作業者ＮＳ−１は、被監視者Ｏｂ−１の居室ＲＭ−１（監視領域）に入室（入場）する際に、その携行している携帯端末装置ＴＡａ−１を、前記居室ＲＭ−１に対応して設けられたＩＤ装置ＲＤａ−１に近接させ、作業者ＩＤ（第１特定情報）を読み取らせる読み取り操作を行う（Ｃ１１）。
【００７９】
携帯端末装置ＴＡａ−１とＩＤ装置ＲＤａ−１とは、互いに近接されると、携帯端末装置ＴＡａ−１は、ＴＡ制御処理部３２の作業者ＩＤ情報出力処理部３２５によって、ＴＡ記憶部３３の作業者ＩＤ情報記憶部３３２に記憶されている作業者ＩＤ；「ＩＤ−ＮＡ」を取り出し、この取り出した作業者ＩＤ；「ＩＤ−ＮＡ」をＴＡＩＦ部３７で送信し（前記作業者ＩＤ；「ＩＤ−ＮＡ」を収容する通信信号をＴＡＩＦ部３７で送信し）、ＩＤ装置ＲＤａ−１は、携帯端末装置ＴＡａ−１から送信された作業者ＩＤ；「ＩＤ−ＮＡ」を受信し、これによって作業者ＩＤを携帯端末装置ＴＡａ−１から読み取る（Ｃ１２）。
【００８０】
続いて、ＩＤ装置ＲＤａ−１は、携帯端末装置ＴＡａ−１から読み取った作業者ＩＤ；「ＩＤ−ＮＡ」を、前記居室ＲＭ−１に設けられたセンサ装置ＳＵａ−１へ通知（前記作業者ＩＤ；「ＩＤ−ＮＡ」を収容する通信信号を前記センサ装置ＳＵａ−１へ送信）する（Ｃ１３）。
【００８１】
ＩＤ装置ＲＤａ−１から作業者ＩＤ；「ＩＤ−ＮＡ」の通知を受けると、センサ装置ＳＵａ−１は、前記居室ＲＭ−１に対する作業者ＮＳの入出状況を処理するために、ＳＵ制御処理部１４ａのＳＵ管理処理部１４５ａによって、ＩＤ装置ＲＤａ−１から通知された作業者ＩＤ；「ＩＤ−ＮＡ」を管理する（Ｃ１４）。より具体的には、この通知された作業者ＩＤ；「ＩＤ−ＮＡ」が、ＳＵ入出状況情報記憶部１６１に記憶されているＳＵ入出状況情報テーブルＭＴａの作業者ＩＤフィールド１６１１に登録されていない場合には、ＳＵ管理処理部１４５ａは、新たなレコードを生成し、この新たに生成したレコードの作業者ＩＤフィールド１６１１に前記通知された作業者ＩＤ；「ＩＤ−ＮＡ」を登録する。一方、この通知された作業者ＩＤ；「ＩＤ−ＮＡ」が、ＳＵ入出状況情報記憶部１６１に記憶されているＳＵ入出状況情報テーブルＭＴａの作業者ＩＤフィールド１６１１に登録されている場合には、ＳＵ管理処理部１４５ａは、前記通知された作業者ＩＤ；「ＩＤ−ＮＡ」を登録するレコードを削除する（作業者ＩＤフィールド１６１１から作業者ＩＤを消去する）。
【００８２】
図７に示す例では、ＩＤ装置ＲＤａ−１から作業者ＩＤ；「ＩＤ−ＮＡ」の通知を受けると、この通知された作業者ＩＤ；「ＩＤ−ＮＡ」が、ＳＵ入出状況情報記憶部１６１に記憶されているＳＵ入出状況情報テーブルＭＴａ−ｔ１１の作業者ＩＤフィールド１６１１に登録されていないので、ＳＵ管理処理部１４５ａは、新たなレコードを生成し、この新たに生成したレコードの作業者ＩＤフィールド１６１１に前記通知された作業者ＩＤ；「ＩＤ−ＮＡ」を登録する。これによって図７の紙面左側に示すＳＵ入出状況情報テーブルＭＴａ−ｔ１１からその紙面中央に示すＳＵ入出状況情報テーブルＭＴａ−ｔ１２となり、ＳＵ入出状況情報記憶部１６１には、作業者ＩＤ；「ＩＤ−ＮＡ」を登録したＳＵ入出状況情報テーブルＭＴａ−ｔ１２が記憶される。
【００８３】
続いて、ＳＵ入出状況情報テーブルＭＴａ−ｔ１１がＳＵ入出状況情報テーブルＭＴａ−ｔ１２へ更新されると、ＳＵ管理処理部１４５ａで管理されているＳＵ入出状況情報テーブルＭＴａ−ｔ１２に、作業者ＩＤ；「ＩＤ−ＮＡ」が有るので、センサ装置ＳＵａ−１は、停止指示を通知するために、ＳＵ制御処理部１４ａのＳＵ通知制御部１４６によって、停止指示通知通信信号を管理サーバ装置ＳＶａへ送信する（Ｃ１５）。より具体的には、ＳＵ通知制御部１４６は、作業者ＩＤ；「ＩＤ−ＮＡ」を携帯端末装置ＴＡａ−１から読み取ったＩＤ装置ＲＤａ−１の設けられた前記居室ＲＭ−１（当該センサ装置ＳＵａ−１が監視する前記居室ＲＭ−１、当該センサ装置ＳＵａ−１の設けられた前記居室ＲＭ−１）での検知の通知を停止するために、自機のセンサＩＤ：「ＳＵ−１」および停止命令を収容した停止指示通知通信信号を管理サーバ装置ＳＶａ宛に生成し、この生成した停止指示通知通信信号をＳＵ通信ＩＦ部１５で送信する。
【００８４】
センサ装置ＳＵａ−１から停止指示通知通信信号を受信すると、管理サーバ装置ＳＶａは、ＳＶ制御処理部２２のＳＶ通知制御部２２３によって、センサ装置ＳＵａからのイベントの通知を制御する処理を実行する（Ｃ１６、通知制御処理（通知停止処理））。より具体的には、ＳＶ通知制御部２２３は、センサ装置ＳＵａ−１から停止指示通知通信信号を受信したので、この受信した停止指示通知通信信号に収容されているセンサＩＤ；「ＳＵ−１」および停止命令を取り出し、この取り出したセンサＩＤ；「ＳＵ−１」を送信元フィールド２３２１に登録するレコードを、通知先対応関係情報テーブルＡＴから選定（検索）し、この選定したレコードにおける通知許否フラグフィールド２３２３に、前記取り出した停止命令に従って、通知許否フラグ「１」を登録する。これによって後述のように所定のイベントを所定の端末装置ＳＰ、ＴＡａへ通知する際における前記通知が停止される。
【００８５】
そして、例えば所用の終了によって、前記居室ＲＭ−１に在室している作業者ＮＳ−１は、退出する際に、その携行している携帯端末装置ＴＡａ−１を、前記居室ＲＭ−１に対応して設けられたＩＤ装置ＲＤａ−１に近接させ、作業者ＩＤ（第１特定情報）；「ＩＤ−ＮＡ」を読み取らせる読み取り操作を行う（Ｃ２１）。
【００８６】
携帯端末装置ＴＡａ−１とＩＤ装置ＲＤａ−１とは、互いに近接されると、上述の処理Ｃ１２と同様に、携帯端末装置ＴＡａ−１では、作業者ＩＤ情報出力処理部３２５は、作業者ＩＤ情報記憶部３３２に記憶されている作業者ＩＤ；「ＩＤ−ＮＡ」を取り出し、この取り出した作業者ＩＤ；「ＩＤ−ＮＡ」をＴＡＩＦ部３７で送信し、ＩＤ装置ＲＤａ−１は、携帯端末装置ＴＡａ−１から送信された作業者ＩＤ；「ＩＤ−ＮＡ」を受信し、これによって作業者ＩＤ；「ＩＤ−ＮＡ」を携帯端末装置ＴＡａ−１から読み取る（Ｃ２２）。
【００８７】
続いて、ＩＤ装置ＲＤａ−１は、上述の処理Ｃ１３と同様に、携帯端末装置ＴＡａ−１から読み取った作業者ＩＤ；「ＩＤ−ＮＡ」を、前記居室ＲＭ−１に設けられたセンサ装置ＳＵａ−１へ通知する（Ｃ２３）。
【００８８】
ＩＤ装置ＲＤａ−１から作業者ＩＤ；「ＩＤ−ＮＡ」の通知を受けると、センサ装置ＳＵａ−１は、前記居室ＲＭ−１に対する作業者ＮＳの入出状況を処理するために、ＳＵ制御処理部１４ａのＳＵ管理処理部１４５ａによって、ＩＤ装置ＲＤａ−１から通知された作業者ＩＤ；「ＩＤ−ＮＡ」を管理する（Ｃ２４）。より具体的には、ここでは、図７の紙面中央に示すように、この通知された作業者ＩＤ；「ＩＤ−ＮＡ」が、ＳＵ入出状況情報記憶部１６１に記憶されているＳＵ入出状況情報テーブルＭＴａ−ｔ１２の作業者ＩＤフィールド１６１１に登録されているので、ＳＵ管理処理部１４５ａは、前記通知された作業者ＩＤ；「ＩＤ−ＮＡ」を登録するレコードを削除する。これによって図７の紙面中央に示すＳＵ入出状況情報テーブルＭＴａ−ｔ１２からその紙面右側に示すＳＵ入出状況情報テーブルＭＴａ−ｔ１３となり、ＳＵ入出状況情報記憶部１６１には、作業者ＩＤ；「ＩＤ−ＮＡ」を登録したレコードが無くなって、作業者ＩＤを１つも登録しないＳＵ入出状況情報テーブルＭＴａ−ｔ１３が記憶される。
【００８９】
続いて、ＳＵ入出状況情報テーブルＭＴａ−ｔ１２がＳＵ入出状況情報テーブルＭＴａ−ｔ１３へ更新されると、ＳＵ管理処理部１４５ａで管理されているＳＵ入出状況情報テーブルＭＴａ−ｔ１３に、作業者ＩＤが無いので、センサ装置ＳＵａ−１は、停止解除指示を通知するために、ＳＵ制御処理部１４ａのＳＵ通知制御部１４６によって、停止解除指示通知通信信号を管理サーバ装置ＳＶａへ送信する（Ｃ２５）。より具体的には、ＳＵ通知制御部１４６は、作業者ＩＤ；「ＩＤ−ＮＡ」を携帯端末装置ＴＡａ−１から読み取ったＩＤ装置ＲＤａ−１の設けられた前記居室ＲＭ−１（当該センサ装置ＳＵａ−１が監視する前記居室ＲＭ−１、当該センサ装置ＳＵａ−１の設けられた前記居室ＲＭ−１）での検知の通知の停止を解除するために、自機のセンサＩＤ；「ＳＵ−１」および停止解除命令を収容した停止解除指示通知通信信号を管理サーバ装置ＳＶａ宛に生成し、この生成した停止解除指示通知通信信号をＳＵ通信ＩＦ部１５で送信する。
【００９０】
センサ装置ＳＵａ−１から停止解除指示通知通信信号を受信すると、ＳＶ制御処理部２２のＳＶ通知制御部２２３によって、管理サーバ装置ＳＶａは、センサ装置ＳＵａからのイベントの通知を制御する処理を実行する（Ｃ２６、通知制御処理（通知停止解除処理））。より具体的には、ＳＶ通知制御部２２３は、センサ装置ＳＵａ−１から停止解除指示通知通信信号を受信したので、ＳＶ通知制御部２２３は、この受信した停止解除指示通知通信信号に収容されているセンサＩＤ；「ＳＵ−１」および停止解除命令を取り出し、この取り出したセンサＩＤを送信元フィールド２３２１に登録するレコードを、通知先対応関係情報テーブルＡＴから選定（検索）し、この選定したレコードにおける通知許否フラグフィールド２３２３に、前記取り出した停止解除命令に従って、通知許否フラグ「０」を登録する。これによって前記所定のイベントを所定の端末装置ＳＰ、ＴＡａへ通知する際における前記通知の停止が解除され、後述のように所定のイベントが所定の端末装置ＳＰ、ＴＡａへ通知される。
【００９１】
上述では、１人の作業者ＮＳ−１が被監視者Ｏｂ−１の居室ＲＭ−１に入室して退室したケースについて説明したが、複数、ここでは２人の作業者ＮＳ−１、ＮＳ−２が被監視者Ｏｂ−１の居室ＲＭ−１に入室して退室するケースについて以下に説明する。
【００９２】
ここで、以下の説明において、その当初では、例えばログイン操作の際に、作業者ＮＳ−１が携行する携帯端末装置ＴＡａ−１には、作業者ＩＤ；「ＩＤ−ＮＡ」が入力され、作業者ＩＤ；「ＩＤ−ＮＡ」が予め記憶され、作業者ＮＳ−２が携行する携帯端末装置ＴＡａ−２には、作業者ＩＤ；「ＩＤ−ＮＢ」が入力され、作業者ＩＤ；「ＩＤ−ＮＢ」が予め記憶されているものとする。そして、前記居室ＲＭ−１には、作業者ＮＳ−１が在室せず、ＳＵ入出状況情報記憶部１６１に記憶されているＳＵ入出状況情報テーブルＭＴａ−ｔ２１には、図９の紙面左側に示すように、作業者ＩＤが登録（記憶）されていないものとする。
【００９３】
図８において、例えば所用等によって、作業者ＮＳ−１は、被監視者Ｏｂ−１の居室ＲＭ−１に入室する際に、その携行している携帯端末装置ＴＡａ−１を、前記居室ＲＭ−１に対応して設けられたＩＤ装置ＲＤａ−１に近接させ、作業者ＩＤを読み取らせる読み取り操作を行う（Ｃ３１）。
【００９４】
携帯端末装置ＴＡａ−１とＩＤ装置ＲＤａ−１とは、互いに近接されると、上述の処理Ｃ１２と同様に、携帯端末装置ＴＡａ−１は、その記憶している作業者ＩＤ；「ＩＤ−ＮＡ」を送信し、ＩＤ装置ＲＤａ−１は、これを受信し、作業者ＩＤ；「ＩＤ−ＮＡ」を携帯端末装置ＴＡａ−１から読み取る（Ｃ３２）。
【００９５】
続いて、ＩＤ装置ＲＤａ−１は、上述の処理Ｃ１３と同様に、携帯端末装置ＴＡａ−１から読み取った作業者ＩＤ；「ＩＤ−ＮＡ」を、前記居室ＲＭ−１に設けられたセンサ装置ＳＵａ−１へ通知する（Ｃ３３）。
【００９６】
ＩＤ装置ＲＤａ−１から作業者ＩＤ；「ＩＤ−ＮＡ」の通知を受けると、センサ装置ＳＵａ−１は、前記居室ＲＭ−１に対する作業者ＮＳ−１の入出状況を処理するために、ＳＵ管理処理部１４５ａによって、ＩＤ装置ＲＤａ−１から通知された作業者ＩＤ；「ＩＤ−ＮＡ」を管理する（Ｃ３４）。より具体的には、ここでは、図９の紙面左側に示すように、この通知された作業者ＩＤ；「ＩＤ−ＮＡ」が、ＳＵ入出状況情報記憶部１６１に記憶されているＳＵ入出状況情報テーブルＭＴａ−ｔ２１の作業者ＩＤフィールド１６１１に登録されていないので、ＳＵ管理処理部１４５ａは、新たなレコードを生成し、この新たに生成したレコードの作業者ＩＤフィールド１６１１に前記通知された作業者ＩＤ；「ＩＤ−ＮＡ」を登録する。これによって図９の紙面左側に示すＳＵ入出状況情報テーブルＭＴａ−ｔ２１からその紙面左から２番目に示すＳＵ入出状況情報テーブルＭＴａ−ｔ２２となり、ＳＵ入出状況情報記憶部１６１には、作業者ＩＤ；「ＩＤ−ＮＡ」を登録したＳＵ入出状況情報テーブルＭＴａ−ｔ２２が記憶される。
【００９７】
続いて、ＳＵ入出状況情報テーブルＭＴａ−ｔ２１がＳＵ入出状況情報テーブルＭＴａ−ｔ２２へ更新されると、ＳＵ管理処理部１４５ａで管理されているＳＵ入出状況情報テーブルＭＴａ−ｔ２２に、作業者ＩＤ；「ＩＤ−ＮＡ」が有るので、センサ装置ＳＵａ−１は、上述の処理Ｃ１５と同様に、停止指示を通知するために、ＳＵ通知制御部１４６によって、自機のセンサＩＤおよび停止命令を収容する停止指示通知通信信号を管理サーバ装置ＳＶａへ送信する（Ｃ３５）。
【００９８】
センサ装置ＳＵａ−１から停止指示通知通信信号を受信すると、管理サーバ装置ＳＶａは、上述の処理Ｃ１６と同様に、ＳＶ通知制御部２２３によって、センサ装置ＳＵａからのイベントの通知を制御する処理を実行する（Ｃ３６、通知制御処理（通知停止処理））。より具体的には、ＳＶ通知制御部２２３は、センサ装置ＳＵａ−１から停止指示通知通信信号を受信したので、この受信した停止指示通知通信信号に収容されているセンサＩＤ；「ＳＵ−１」および停止命令を取り出し、この取り出したセンサＩＤ；「ＳＵ−１」を送信元フィールド２３２１に登録するレコードを、通知先対応関係情報テーブルＡＴから選定（検索）し、この選定したレコードにおける通知許否フラグフィールド２３２３に、前記取り出した停止命令に従って、通知許否フラグ「１」を登録する。これによって後述のように所定のイベントを所定の端末装置ＳＰ、ＴＡａへ通知する際における前記通知が停止される。
【００９９】
続いて、例えば所用等によって、作業者ＮＳ−２は、作業者ＮＳ−１の入室した前記居室ＲＭ−１に入室する際に、その携行している携帯端末装置ＴＡａ−２を、前記居室ＲＭに対応して設けられたＩＤ装置ＲＤａに近接させ、作業者ＩＤ；「ＩＤ−ＮＢ」を読み取らせる読み取り操作を行う（Ｃ４１）。
【０１００】
携帯端末装置ＴＡａ−２とＩＤ装置ＲＤａ−１とは、互いに近接されると、上述の処理Ｃ１２と同様に、携帯端末装置ＴＡａ−２は、その記憶している作業者ＩＤ；「ＩＤ−ＮＢ」を送信し、ＩＤ装置ＲＤａ−１は、これを受信し、作業者ＩＤ；「ＩＤ−ＮＢ」を携帯端末装置ＴＡａ−２から読み取る（Ｃ４２）。
【０１０１】
続いて、ＩＤ装置ＲＤａ−１は、上述の処理Ｃ１３と同様に、携帯端末装置ＴＡａ−２から読み取った作業者ＩＤ；「ＩＤ−ＮＢ」を、前記居室ＲＭ−１に設けられたセンサ装置ＳＵａ−１へ通知する（Ｃ４３）。
【０１０２】
ＩＤ装置ＲＤａ−１から作業者ＩＤ；「ＩＤ−ＮＢ」の通知を受けると、センサ装置ＳＵａ−１は、前記居室ＲＭ−１に対する作業者ＮＳの入出状況を処理するために、ＳＵ管理処理部１４５ａによって、ＩＤ装置ＲＤａ−１から通知された作業者ＩＤ；「ＩＤ−ＮＢ」を管理する（Ｃ４４）。より具体的には、ここでは、図９の紙面左から２番目に示すように、この通知された作業者ＩＤ；「ＩＤ−ＮＢ」が、ＳＵ入出状況情報記憶部１６１に記憶されているＳＵ入出状況情報テーブルＭＴａ−ｔ２２の作業者ＩＤフィールド１６１１に登録されていないので、ＳＵ管理処理部１４５ａは、新たなレコードを生成し、この新たに生成したレコードの作業者ＩＤフィールド１６１１に前記通知された作業者ＩＤ；「ＩＤ−ＮＢ」を登録する。これによって図９の紙面左から２番目に示すＳＵ入出状況情報テーブルＭＴａ−ｔ２２からその紙面中央に示すＳＵ入出状況情報テーブルＭＴａ−ｔ２３となり、ＳＵ入出状況情報記憶部１６１には、作業者ＩＤ；「ＩＤ−ＮＡ」および「ＩＤ−ＮＢ」を登録したＳＵ入出状況情報テーブルＭＴａ−ｔ２３が記憶される。
【０１０３】
続いて、ＳＵ入出状況情報テーブルＭＴａ−ｔ２２がＳＵ入出状況情報テーブルＭＴａ−ｔ２３へ更新されると、ＳＵ管理処理部１４５ａで管理されているＳＵ入出状況情報テーブルＭＴａ−ｔ２３に、作業者ＩＤ；「ＩＤ−ＮＡ」および「ＩＤ−ＮＢ」が有るので、センサ装置ＳＵａ−１は、上述の処理Ｃ１５と同様に、停止指示を通知するために、ＳＵ通知制御部１４６によって、自機のセンサＩＤおよび停止命令を収容する停止指示通知通信信号を管理サーバ装置ＳＶａへ送信する（Ｃ４５）。
【０１０４】
センサ装置ＳＵａ−１から停止指示通知通信信号を受信すると、管理サーバ装置ＳＶａは、上述の処理Ｃ１６と同様に、ＳＶ通知制御部２２３によって、センサ装置ＳＵａからのイベントの通知を制御する処理を実行する（Ｃ４６、通知制御処理（通知停止処理））。より具体的には、ＳＶ通知制御部２２３は、センサ装置ＳＵａ−１から停止指示通知通信信号を受信したので、この受信した停止指示通知通信信号に収容されているセンサＩＤ；「ＳＵ−１」および停止命令を取り出し、この取り出したセンサＩＤ；「ＳＵ−１」を送信元フィールド２３２１に登録するレコードを、通知先対応関係情報テーブルＡＴから選定（検索）し、この選定したレコードにおける通知許否フラグフィールド２３２３に、前記取り出した停止命令に従って、通知許否フラグ「１」を登録する。これによって後述のように所定のイベントを所定の端末装置ＳＰ、ＴＡａへ通知する際における前記通知の停止が維持される。
【０１０５】
そして、例えば前記所用等の終了によって、前記居室ＲＭ−１に在室している作業者ＮＳ−１は、退出する際に、その携行している携帯端末装置ＴＡａ−１を、前記居室ＲＭ−１に対応して設けられたＩＤ装置ＲＤａ−１に近接させ、作業者ＩＤ；「ＩＤ−ＮＡ」を読み取らせる読み取り操作を行う（Ｃ５１）。
【０１０６】
携帯端末装置ＴＡａ−１とＩＤ装置ＲＤａ−１とは、互いに近接されると、上述の処理Ｃ１２と同様に、携帯端末装置ＴＡａ−１は、その記憶している作業者ＩＤ；「ＩＤ−ＮＡ」を送信し、ＩＤ装置ＲＤａ−１は、これを受信し、作業者ＩＤ；「ＩＤ−ＮＡ」を携帯端末装置ＴＡａ−１から読み取る（Ｃ５２）。
【０１０７】
続いて、ＩＤ装置ＲＤａ−１は、上述の処理Ｃ１３と同様に、携帯端末装置ＴＡａ−１から読み取った作業者ＩＤ；「ＩＤ−ＮＡ」を、前記居室ＲＭ−１に設けられたセンサ装置ＳＵａ−１へ通知する（Ｃ５３）。
【０１０８】
ＩＤ装置ＲＤａ−１から作業者ＩＤ；「ＩＤ−ＮＡ」の通知を受けると、センサ装置ＳＵａ−１は、前記居室ＲＭ−１に対する作業者ＮＳの入出状況を処理するために、ＳＵ管理処理部１４５ａによって、ＩＤ装置ＲＤａ−１から通知された作業者ＩＤ；「ＩＤ−ＮＡ」を管理する（Ｃ５４）。より具体的には、ここでは、図９の紙面中央に示すように、この通知された作業者ＩＤ；「ＩＤ−ＮＡ」が、ＳＵ入出状況情報記憶部１６１に記憶されているＳＵ入出状況情報テーブルＭＴａの作業者ＩＤフィールド１６１１に登録されているので、ＳＵ管理処理部１４５ａは、前記通知された作業者ＩＤ；「ＩＤ−ＮＡ」を登録するレコードを削除する。これによって図９の紙面中央に示すＳＵ入出状況情報テーブルＭＴａ−ｔ２３からその紙面右から２番目に示すＳＵ入出状況情報テーブルＭＴａ−ｔ２４となり、ＳＵ入出状況情報記憶部１６１には、作業者ＩＤ；「ＩＤ−ＮＢ」を登録したＳＵ入出状況情報テーブルＭＴａ−ｔ２４が記憶される。
【０１０９】
続いて、ＳＵ入出状況情報テーブルＭＴａ−ｔ２３がＳＵ入出状況情報テーブルＭＴａ−ｔ２４へ更新されると、ＳＵ管理処理部１４５ａで管理されているＳＵ入出状況情報テーブルＭＴａ−ｔ２４に、作業者ＩＤ；「ＩＤ−ＮＢ」が有るので、センサ装置ＳＵａは、上述の処理Ｃ１５と同様に、停止指示を通知するために、ＳＵ通知制御部１４６によって、自機のセンサＩＤ；「ＳＵ−１」および停止命令を収容する停止指示通知通信信号を管理サーバ装置ＳＶａへ送信する（Ｃ５５）。
【０１１０】
センサ装置ＳＵａ−１から停止指示通知通信信号を受信すると、管理サーバ装置ＳＶａは、上述の処理Ｃ１６と同様に、ＳＶ通知制御部２２３によって、センサ装置ＳＵａからのイベントの通知を制御する処理を実行する（Ｃ５６、通知制御処理（通知停止処理））。より具体的には、ＳＶ通知制御部２２３は、センサ装置ＳＵａ−１から停止指示通知通信信号を受信したので、この受信した停止指示通知通信信号に収容されているセンサＩＤ；「ＳＵ−１」および停止命令を取り出し、この取り出したセンサＩＤを送信元フィールド２３２１に登録するレコードを、通知先対応関係情報テーブルＡＴから選定（検索）し、この選定したレコードにおける通知許否フラグフィールド２３２３に、前記取り出した停止命令に従って、通知許否フラグ「１」を登録する。これによって後述のように所定のイベントを所定の端末装置ＳＰ、ＴＡａへ通知する際における前記通知の停止が維持される。
【０１１１】
そして、例えば前記所用等の終了によって、前記居室ＲＭ−１に在室している作業者ＮＳ−２は、退出する際に、その携行している携帯端末装置ＴＡａ−２を、前記居室ＲＭ−１に対応して設けられたＩＤ装置ＲＤａ−１に近接させ、作業者ＩＤ；「ＩＤ−ＮＢ」を読み取らせる読み取り操作を行う（Ｃ６１）。
【０１１２】
携帯端末装置ＴＡａ−２とＩＤ装置ＲＤａ−１とは、互いに近接されると、上述の処理Ｃ１２と同様に、携帯端末装置ＴＡａ−２は、その記憶している作業者ＩＤ；「ＩＤ−ＮＢ」を送信し、ＩＤ装置ＲＤａ−１は、これを受信し、作業者ＩＤ；「ＩＤ−ＮＢ」を携帯端末装置ＴＡａ−２から読み取る（Ｃ６２）。
【０１１３】
続いて、ＩＤ装置ＲＤａは、上述の処理Ｃ１３と同様に、携帯端末装置ＴＡａ−２から読み取った作業者ＩＤ；「ＩＤ−ＮＢ」を、前記居室ＲＭ−１に設けられたセンサ装置ＳＵａ−１へ通知する（Ｃ６３）。
【０１１４】
ＩＤ装置ＲＤａから作業者ＩＤ；「ＩＤ−ＮＢ」の通知を受けると、センサ装置ＳＵａ−１は、前記居室ＲＭ−１に対する作業者ＮＳの入出状況を処理するために、ＳＵ制御処理部１４ａのＳＵ管理処理部１４５ａによって、ＩＤ装置ＲＤａ−１から通知された作業者ＩＤ；「ＩＤ−ＮＢ」を管理する（Ｃ６４）。より具体的には、ここでは、図９の紙面右から２番目に示すように、この通知された作業者ＩＤ；「ＩＤ−ＮＢ」が、ＳＵ入出状況情報記憶部１６１に記憶されているＳＵ入出状況情報テーブルＭＴａ−ｔ２４の作業者ＩＤフィールド１６１１に登録されているので、ＳＵ管理処理部１４５ａは、前記通知された作業者ＩＤ；「ＩＤ−ＮＢ」を登録するレコードを削除する。これによって図９の紙面右から２番目に示すＳＵ入出状況情報テーブルＭＴａ−ｔ２４からその紙面右側に示すＳＵ入出状況情報テーブルＭＴａ−ｔ２５となり、ＳＵ入出状況情報記憶部１６１には、作業者ＩＤ；「ＩＤ−ＮＢ」を登録したレコードが無くなって、作業者ＩＤを１つも登録しないＳＵ入出状況情報テーブルＭＴａ−ｔ２５が記憶される。
【０１１５】
続いて、ＳＵ入出状況情報テーブルＭＴａ−ｔ２４がＳＵ入出状況情報テーブルＭＴａ−ｔ２５へ更新されると、ＳＵ管理処理部１４５ａで管理されているＳＵ入出状況情報テーブルＭＴａ−ｔ２５に、作業者ＩＤが無いので、センサ装置ＳＵａ−１は、上述の処理Ｃ２５と同様に、停止解除指示を通知するために、ＳＵ通知制御部１４６によって、自機のセンサＩＤ；「ＳＵ−１」および停止解除命令を収容する停止解除指示通知通信信号を管理サーバ装置ＳＶａへ送信する（Ｃ６５）。
【０１１６】
センサ装置ＳＵａ−１から停止解除指示通知通信信号を受信すると、管理サーバ装置ＳＶａは、上述の処理Ｃ２６と同様に、ＳＶ制御処理部２２のＳＶ通知制御部２２３によって、前記センサ装置ＳＵａ−１からのイベントの通知を制御する処理を実行する（Ｃ６６、通知制御処理（通知停止解除処理））。より具体的には、ＳＶ通知制御部２２３は、センサ装置ＳＵａ−１から停止解除指示通知通信信号を受信したので、ＳＶ通知制御部２２３は、この受信した停止解除指示通知通信信号に収容されているセンサＩＤ；「ＳＵ−１」および停止解除命令を取り出し、この取り出したセンサＩＤ；「ＳＵ−１」を送信元フィールド２３２１に登録するレコードを、通知先対応関係情報テーブルＡＴから選定（検索）し、この選定したレコードにおける通知許否フラグフィールド２３２３に、前記取り出した停止解除命令に従って、通知許否フラグ「０」を登録する。これによって前記所定のイベントを所定の端末装置ＳＰ、ＴＡａへ通知する際における前記通知の停止が解除され、後述のように所定のイベントが所定の端末装置ＳＰ、ＴＡａへ通知される。
【０１１７】
被監視者監視支援システムＭＳａは、前記通知の停止および停止解除に関し、このように動作している。特に、上述から分かるように、本実施形態の被監視者監視支援システムＭＳａは、同一の監視領域（上述では居室ＲＭ）に時間差を持って複数の作業者ＮＳが入場（入室）する場合でも、作業者ＩＤで前記監視領域に対する作業者ＮＳの入退場を管理するので、例えばＮＡさんが入室した後に同一居室ＲＭにＮＢさんが入室した場合に前記ＮＢさんの入室をＮＡさんの退室と誤認するような、入退場した作業者ＮＳを誤認することがない。
【０１１８】
（イベントの通知）
まず、第１イベント通知通信信号を送信した送信元のセンサ装置ＳＵａに対応する通知許否フラグが、居室ＲＭに作業者ＮＳが在室していないために、上述の動作によって、通知許否フラグ「０」である場合について説明する。
【０１１９】
このような場合における前記所定のイベントの通知に関する動作では、図１０において、センサ装置ＳＵａは、所定のイベントを検知すると（Ｃ７１）、前記所定のイベントを通知するために、第１イベント通知通信信号を管理サーバ装置ＳＶａへ送信する（Ｃ７２）。
【０１２０】
より具体的には、センサ装置ＳＵａは、各フレームごとに、あるいは、数フレームおきに、次のように動作することで、被監視者Ｏｂにおける所定のイベントを検知し、第１イベント通知通信信号を管理サーバ装置ＳＶａへ送信している。まず、センサ装置ＳＵａは、撮像部１１から１フレーム分の画像（画像データ）を対象画像として取得し、この取得した対象画像に基づいて被監視者Ｏｂにおける所定の行動を検知し、前記所定の行動を検知すると、その検知結果を所定の端末装置ＳＰ、ＴＡａへ通知するために、前記イベント情報として検知した前記所定の行動を収容した、前記所定の行動の検知にかかる第１イベント通知通信信号を、管理サーバ装置ＳＶａへ送信する。このように動作している間に、センサ装置ＳＵａは、ナースコールを受け付けているか否かを判定し、ナースコールを受け付けると、そのナースコールの受付を所定の端末装置ＳＰ、ＴＡａへ通知するために、センサ装置ＳＵａは、前記イベント情報として前記受け付けたナースコールを収容した、前記ナースコールの受付にかかる第１イベント通知通信信号を、管理サーバ装置ＳＶａへ送信する。
【０１２１】
第１イベント通知通信信号をセンサ装置ＳＵａから受信すると、管理サーバ装置ＳＶａは、ＳＶ制御処理部２２のＳＶ監視処理部２２２によって、この受信した第１イベント通知通信信号に収容された、被監視者Ｏｂに対する監視に関する監視情報をＳＶ監視情報記憶部２３１に記憶（記録）する（Ｃ７３）。
【０１２２】
続いて、管理サーバ装置ＳＶａは、ＳＶ制御処理部２２のＳＶ監視処理部２２２によって通知の要否を調べる（Ｃ７４）。より具体的には、ＳＶ監視処理部２２２は、前記受信した第１イベント通知通信信号に収容されているセンサＩＤを取り出し、この取り出したセンサＩＤを送信元フィールド２３２１に登録するレコードを、通知先対応関係情報テーブルＡＴから選定（検索）し、この選定したレコードにおける通知先フィールド２３２２および通知許否フラグフィールド２３２３それぞれから、通知先の端末ＩＤおよび通知許否フラグを取り出す。この取り出した通知許否フラグを参照することで、通知の要否が調べられる。
【０１２３】
ここでは、前記取り出した通知許否フラグが「０」であるので、続いて、ＳＶ監視処理部２２２は、前記取り出した通知先の端末ＩＤを持つ端末装置ＳＰ、ＴＡａ宛に、前記第２イベント通知通信信号を生成し、この生成した第２イベント通知通信信号をＳＶ通信ＩＦ部２１で送信する（Ｃ７５）。このように居室ＲＭに作業者ＮＳが在室していない場合には、センサ装置ＳＵａで検知した所定のイベントが管理サーバ装置ＳＶａを介して所定の端末装置ＳＰ、ＴＡａへ送信され、次のように端末装置ＳＰ、ＴＡａで表示される。
【０１２４】
第２イベント通知通信信号を管理サーバ装置ＳＶａから受信すると、端末装置ＳＰ、ＴＡａは、前記受信した第２イベント通知通信信号に収容された各情報（各データ）に基づき、被監視者Ｏｂの監視情報をＴＡ監視情報記憶部３３１に記憶（記録）し、前記受信した第２イベント通知通信信号に収容された各情報に応じた画面をＴＡ表示部３６に表示する（Ｃ７６）。
【０１２５】
例えば、代表的に携帯端末装置ＴＡａの場合について説明すると、携帯端末装置ＴＡａにログインすると、例えば図１１に示す待受け画面５１がＴＡ表示部３６に表示され、前記受信した第２イベント通知通信信号に収容された前記イベント情報が前記所定の行動である場合には、例えば図１２に示す監視情報画面５２がＴＡ表示部３６に表示され、一方、前記受信した第２イベント通知通信信号に収容された前記イベント情報が前記ナースコールである場合には、例えば図１３に示すナースコール受付画面５３がＴＡ表示部３６に表示される。
【０１２６】
この図１１に示す例の待受け画面５１は、メニューバーを表示するメニューバー領域５１１と、待ち受け中であることを表すメッセージ（例えば「通知はありません」）およびアイコンを表示する待受けメイン領域５１２と、現在時刻を表示する時刻領域５１３と、今日の年月日曜日を表示する年月日曜日領域５１４と、今、当該携帯端末装置ＴＡａにログインしている監視者名を表示する監視者名領域５１５とを備える。
【０１２７】
この監視情報画面５２は、被監視者Ｏｂの監視に関する前記監視情報を表示するための画面である。この図１２に示す例の監視情報画面５２は、メニューバー領域５１１と、前記受信した第２イベント通知通信信号に収容されたセンサＩＤを持つセンサ装置ＳＵａの配設場所および前記センサＩＤを持つ前記センサ装置ＳＵａによって監視される被監視者Ｏｂの名前を表示する被監視者名領域５２１と、前記受信した第２イベント通知通信信号の受信時刻からの経過時間、および、前記受信した第２イベント通知通信信号に収容された前記イベント情報（前記所定の行動の検知結果）を表示する検知情報表示領域５２２と、前記受信した第２イベント通知通信信号に収容された画像（すなわち、前記センサＩＤを持つ前記センサ装置ＳＵａによって撮像された対象画像）（ここでは静止画）を表示する画像領域５２３と、「対応する」ボタン５２４と、「話す」ボタン５２５と、「ＬＩＶＥを見る」ボタン５２６とを備える。
【０１２８】
被監視者名領域５２１にセンサ装置ＳＵａの配設場所および被監視者Ｏｂの名前を表示するために、センサＩＤ、センサ装置ＳＵａの配設場所および被監視者Ｏｂの名前を互いに対応付けた情報（センサ情報）がＴＡ記憶部３３に記憶される。検知情報表示領域５２２には、前記受信した第２イベント通知通信信号に収容されたイベント情報（検知結果、本実施形態では、起床、離床、転倒および転落の各名称）がそのまま表示されても良いが、本実施形態では、前記検知結果を象徴的に表すアイコンで表示されている。このアイコンで表示するために、ＴＡ記憶部３３には、各行動およびその行動を象徴的に表すアイコンが互いに対応付けられて予め記憶される。図１２に示す例では、検知情報表示領域５２２には、起床を象徴的に表す起床アイコンが表示されている。「対応する」ボタン５２４は、監視情報画面５２では、この監視情報画面５２に表示された検知結果に対し例えば救命、看護、介護および介助等の所定の対応（対処、処置、措置）を実施する意思が当該携帯端末装置ＴＡａの作業者ＮＳにある旨を、当該携帯端末装置ＴＡａに入力するためのボタンである。「話す」ボタン５２５は、音声通話を要求するためのボタンであって、前記センサＩＤの前記センサ装置ＳＵａと当該携帯端末装置ＴＡａとをネットワークＮＷを介して通話可能に接続する指示を入力するためのボタンである。「ＬＩＶＥを見る」ボタン５２６は、ライブでの動画を要求するためのボタンであって、前記センサＩＤの前記センサ装置ＳＵａによって撮像される動画を表示させる指示を入力するためのボタンである。
【０１２９】
前記ナースコール受付画面５３は、ナースコールの受付を表示するための画面である。この図１２に示す例のナースコール受付画面５３は、メニューバー領域５１１と、被監視者名領域５２１と、検知情報表示領域５２２と、ナースコールを受け付けた旨を表すメッセージ（例えば「ナースコールです」）を表示するナースコール受付通知表示領域５３１と、「対応する」ボタン５２４と、「話す」ボタン５２５とを備える。このナースコール受付画面５３では、検知情報表示領域５２２には、前記受信した第２イベント通知通信信号の受信時刻からの経過時間のみが表示される。なお、ナースコール受付画面５３は、「ＬＩＶＥを見る」ボタン５２６をさらに備えても良い。
【０１３０】
そして、このような監視情報画面５２やナースコール受付画面５３の表示中に、携帯端末装置ＴＡａは、ＴＡ制御処理部３２によって、入力操作を受け付けるまで繰り返し、ＴＡ入力部３５およびＴＡ表示部３６を備えて成るタッチパネルで入力操作を受け付けたか否かを、判定する。入力操作を受け付けると、携帯端末装置ＴＡａは、ＴＡ制御処理部３２によって、入力操作の内容に応じた適宜な処理を実行し、本処理を終了し、そして、待受け画面５１をＴＡ表示部３６に表示し、次の自機宛の通信信号を待ち受ける。
【０１３１】
例えば、「対応する」ボタン５２４の入力操作を受け付けると、ＴＡ制御処理部３２は、自機の端末ＩＤ、ＴＡ表示部３６に表示している被監視者Ｏｂの監視情報に対応するセンサＩＤ、イベント情報および「対応する」を受け付けた旨を表す情報（対応有意思情報）を収容した通信信号（対応有意思通知通信信号）を管理サーバ装置ＳＶａへ送信する。この対応有意思通知通信信号を受信した管理サーバ装置ＳＶａは、まず、ＳＶ制御処理部２２によって、ＳＶ監視情報記憶部２３１に対応有意思情報を記憶し、「対応する」を受け付けた旨を各端末装置ＳＰ、ＴＡａ間で同期するために、前記受信した対応有意思通知通信信号に収容されたセンサＩＤ、イベント情報および対応有意思情報を収容した通信信号（対応有意思周知通信信号）を同報通信で端末装置ＳＰ、ＴＡへ送信する。
【０１３２】
また例えば、「話す」ボタン５２５の入力操作を受け付けると、通話処理部３２３によって、ＴＡ表示部３６に表示している被監視者Ｏｂを監視するセンサ装置ＳＵａへ、音声通話を要求する旨等の情報を収容した通信信号（通話要求通信信号）を送信し、これに応じたセンサ装置ＳＵａとネットワークＮＷを介して音声通話可能に接続する。これによって携帯端末装置ＴＡａとセンサ装置ＳＵａとの間で音声通話が可能となる。
【０１３３】
また例えば、「ＬＩＶＥを見る」ボタン５２６の入力操作を受け付けると、ＴＡストリーミング処理部３２４は、現在、ＴＡ表示部３６に表示している被監視者Ｏｂを監視するセンサ装置ＳＵａへ、ライブでの動画の配信を要求する旨等の情報を収容した通信信号（動画配信要求通信信号）を送信し、これに応じたセンサ装置ＳＵａとネットワークＮＷを介して動画のダウンロード可能に接続し、前記センサ装置ＳＵａからライブでの動画の配信を受け、この配信を受けた動画をストリーミング再生でＴＡ表示部３６に表示する。
【０１３４】
なお、これら通話中やストリーミング再生中では、図略の「終了」ボタンが表示され、この「終了」ボタンの入力操作によって、通話やストリーミング再生が終了される。
【０１３５】
図１０に戻って、次に、第１イベント通知通信信号を送信した送信元のセンサ装置ＳＵａに対応する通知許否フラグが、居室ＲＭに作業者ＮＳが在室しているために、上述の動作によって、通知許否フラグ「１」である場合について説明する。
【０１３６】
このような場合における前記所定のイベントの通知に関する動作では、図１０において、センサ装置ＳＵａは、上述の処理Ｃ７１および処理Ｃ７２それぞれと同様に、所定のイベントを検知すると（Ｃ８１）、前記所定のイベントを通知するために、第１イベント通知通信信号を管理サーバ装置ＳＶａへ送信する（Ｃ８２）。
【０１３７】
第１イベント通知通信信号をセンサ装置ＳＵａから受信すると、管理サーバ装置ＳＶａは、上述の処理Ｃ７３と同様に、ＳＶ監視処理部２２２によって、この受信した第１イベント通知通信信号に収容された、被監視者Ｏｂに対する監視に関する監視情報をＳＶ監視情報記憶部２３１に記憶（記録）する（Ｃ８３）。
【０１３８】
続いて、管理サーバ装置ＳＶａは、上述の処理Ｃ７４と同様に、ＳＶ監視処理部２２２によって通知の要否を調べる（Ｃ８４）。
【０１３９】
ここでは、前記取り出した通知許否フラグが「１」であるので、ＳＶ監視処理部２２２は、前記第２イベント通知通信信号を生成することなく、処理を終了する。このように居室ＲＭに作業者ＮＳが在室している場合には、センサ装置ＳＵａで検知した所定のイベントが管理サーバ装置ＳＶａに通知されても、管理サーバ装置ＳＶａは、前記受信した第１イベント通知通信信号に起因する第２イベント通知通信信号を所定の端末装置ＳＰ、ＴＡａへ送信せず、前記センサ装置ＳＵａで検知した前記所定のイベントは、前記所定の端末装置ＳＰ、ＴＡａで表示されない。
【０１４０】
被監視者監視支援システムＭＳａは、前記所定のイベントの通知に関し、このように動作している。
【０１４１】
なお、上述では、ログを残すために、通知の要否にかかわらず、第１イベント通知通信信号で通知された監視情報がＳＶ監視情報記憶部２３１に記憶されたが、通知の要否に応じて第１イベント通知通信信号で通知された監視情報がＳＶ監視情報記憶部２３１に記憶されても良い。すなわち、第２イベント通知通信信号を送信する場合には、第１イベント通知通信信号で通知された監視情報がＳＶ監視情報記憶部２３１に記憶され、第２イベント通知通信信号を送信しない場合には、第１イベント通知通信信号で通知された監視情報がＳＶ監視情報記憶部２３１に記憶されない。
【０１４２】
以上説明したように、被監視者監視支援システムＭＳａおよびこれに実装される被監視者監視支援方法は、ＩＤ装置ＲＤａ（読取通知部）で作業者ＩＤ（特定情報）を読み取ってから、ＩＤ装置ＲＤａから通知された前記作業者ＩＤをＳＵ管理処理部１４５ａで管理し、管理下の作業者ＩＤが有る場合に、前記居室ＲＭ（監視領域）での検知の通知を停止する。このため、上記被監視者監視支援システムＭＳａおよび被監視者監視支援方法は、作業者ＮＳによる、ＩＤ装置ＲＤａでの読み取り操作という比較的簡単な操作で監視機能を停止でき、上記被監視者監視支援システムＭＳａおよび被監視者監視支援方法は、前記作業者ＩＤを携帯端末装置ＴＡａから読み取った前記ＩＤ装置ＲＤａの設けられた前記居室ＲＭでの前記検知の通知を停止するので、確実に、所望の被監視者Ｏｂ（監視領域）の監視機能を停止できる。上記被監視者監視支援システムＭＳａおよび被監視者監視支援方法は、管理下の作業者ＩＤが有る場合に、前記監視領域での検知の通知を停止するので、作業者ＮＳの入場によって監視機能を停止でき、部外者によって監視機能が停止することがない。したがって、上記被監視者監視支援システムＭＳａおよび被監視者監視支援方法は、作業者ＮＳの入場に応じて監視機能の停止を制御できる。
【０１４３】
上記被監視者監視支援システムＭＳａおよび被監視者監視支援方法は、管理下の作業者ＩＤがＩＤ装置ＲＤａからさらに通知された場合に、前記作業者ＩＤの作業者ＮＳが前記居室ＲＭから退場したと推定し、前記管理下の前記作業者ＩＤの管理を解除する。そして、上記被監視者監視支援システムＭＳａおよび被監視者監視支援方法は、前記ＳＵ管理処理部１４５ａで管理されている前記作業者ＩＤが無くなった場合に、すなわち、前記居室ＲＭに作業者ＮＳが居なくなった場合に、前記居室ＲＭでの、前記検知の通知の停止を解除する。したがって、上記被監視者監視支援システムＭＳａおよび被監視者監視支援方法は、作業者ＮＳによる、ＩＤ装置ＲＤａでの再度の読み取り操作という比較的簡単な操作で監視機能の停止を解除できる。
【０１４４】
次に、別の実施形態について説明する。
【０１４５】
（第２実施形態）
図１４は、前記被監視者監視支援システムにおける第２実施形態のセンサ装置の構成を示す図である。
【０１４６】
これら上述の第１実施形態における被監視者監視支援システムＭＳａでは、ＩＤ装置ＲＤａと携帯端末装置ＴＡａとが互いに近接されることで作業者ＮＳの監視領域への入場が判定されたが、第２実施形態における被監視者監視支援システムＭＳｂでは、センサで管理領域への入場が判定されるものである。
【０１４７】
このような第２実施形態における被監視者監視支援システムＭＳｂは、例えば、図１示すように、第１実施形態における被監視者監視支援システムＭＳａと同様に、１または複数のセンサ装置ＳＵｂ（ＳＵｂ−１〜ＳＵｂ−３）と、１または複数のＩＤ装置ＲＤｂ（ＲＤｂ−１〜ＲＤｂ−３）と、管理サーバ装置ＳＶｂと、固定端末装置ＳＰと、１または複数の携帯端末装置ＴＡｂ（ＴＡｂ−１、ＴＡｂ−２）と、構内交換機ＣＸとを備え、これらは、ネットワークＮＷを介して通信可能に接続される。これら第２実施形態の被監視者監視支援システムＭＳｂにおけるＩＤ装置ＲＤｂ、管理サーバ装置ＳＶｂ、固定端末装置ＳＰ、携帯端末装置ＴＡｂおよび構内交換機ＣＸは、それぞれ、第１実施形態の被監視者監視支援システムＭＳａにおけるＩＤ装置ＲＤａ、管理サーバ装置ＳＶａ、固定端末装置ＳＰ、携帯端末装置ＴＡａおよび構内交換機ＣＸと同様であるので、その説明を省略する。
【０１４８】
センサ装置ＳＵｂは、第１実施形態のセンサ装置ＳＵａと同様に、監視対象の被監視者Ｏｂが所在する監視領域に対応して設けられ、ネットワークＮＷを介して他の装置ＳＶｂ、ＳＰ、ＴＡｄと通信する通信機能等を備え、被監視者Ｏｂに関わる所定のイベント（事象）を、管理サーバ装置ＳＶｂへ通知する装置である。第２実施形態では、センサ装置ＳＵｂは、後述の入退場検知部１７の検知結果に基づいてＩＤ装置ＲＤｂから通知された前記特定情報（本実施形態では作業者ＩＤ）を管理し、この管理結果に基づいて前記検知の通知を制御するための制御信号を管理サーバ装置ＳＶｂへ送信する。
【０１４９】
このようなセンサ装置ＳＵｂは、例えば、図１４に示すように、撮像部１１と、ＳＵ音入出力部１２と、ナースコール受付操作部１３と、ＳＵ制御処理部１４ｂと、ＳＵ通信ＩＦ部１５と、ＳＵ記憶部１６、入退場検知部１７とを備える。これら第２実施形態のセンサ装置ＳＵｂにおける撮像部１１、ＳＵ音入出力部１２、ナースコール受付操作部１３、ＳＵ通信ＩＦ部１５およびＳＵ記憶部１６は、それぞれ、第１実施形態のセンサ装置ＳＵａにおける撮像部１１、ＳＵ音入出力部１２、ナースコール受付操作部１３、ＳＵ通信ＩＦ部１５およびＳＵ記憶部１６と同様であるので、その説明を省略する。
【０１５０】
入退場検知部１７は、ＳＵ制御処理部１４ｂに接続され、ＳＵ制御処理部１４ｂの制御に従って、前記監視領域内への入場の有無を検知するものである。入退場検知部１７は、その検知結果をＳＵ制御処理部１４ｂへ出力する。入退場検知部１７は、例えば、前記監視領域の境界（例えば前記居室ＲＭの出入口等）に配置され、前記監視領域（例えば前記居室ＲＭ等）を検知領域とする赤外線型人感センサと、前記赤外線型人感センサの検知結果に応じて前記監視領域内への入場の有無を判定する入場判定部とを備えて構成され、作業者ＮＳの前記監視領域内への入場の有無のみを検知しても良いが、本実施形態では、入退場検知部１７は、さらに、前記監視領域内からの退場の有無も検知する。このような入退場検知部１７は、前記監視領域の境界（例えば前記居室ＲＭの出入口等）に、所定の高さ位置に入退場方向に沿って並置するように配設された複数の発光部と、前記複数の発光部から前記入退場方向と直交する直交方向で所定の幅（例えば人幅以上の長さや記居室ＲＭの出入口の幅等）で離間するように、かつ、前記複数の発光部それぞれから発光された各光をそれぞれ受光するように配設された複数の受光部と、前記複数の受光部それぞれの各受光結果に応じて前記監視領域に対する入退場の有無を判定する入退場判定部とを備えて構成される。このような構成では、入退場判定部は、前記複数の受光部から入場方向に沿って順次に受光出力が得られると入場と判定し、前記複数の受光部から退場方向に沿って順次に受光出力が得られると退場と判定する。
【０１５１】
ＳＵ制御処理部１４ｂは、第１実施形態におけるＳＵ制御処理部１４ａと同様に、センサ装置ＳＵｂの各部１１〜１３、１５、１６を当該各部の機能に応じてそれぞれ制御し、被監視者Ｏｂに関わる所定のイベント（事象）を、管理サーバ装置ＳＶｂへ通知するための回路である。そして、ＳＵ制御処理部１４ｂは、入退場検知部１７の検知結果に基づいてＩＤ装置ＲＤｂから通知された前記特定情報（本実施形態では作業者ＩＤ）を管理し、この管理結果に基づいて前記検知の通知を制御するための制御信号を管理サーバ装置ＳＶｂへ送信する。ＳＵ制御処理部１４ｂは、前記ＳＵ制御処理プログラムが実行されることによって、ＳＵ制御部１４１、行動検知処理部１４２、ナースコール処理部１４３、ＳＵストリーミング処理部１４４、ＳＵ管理処理部１４５ｂおよびＳＵ通知処理部１４６を機能的に備える。これら第２実施形態のＳＵ制御処理部１４ｂにおけるＳＵ制御部１４１、行動検知処理部１４２、ナースコール処理部１４３、ＳＵストリーミング処理部１４４およびＳＵ通知制御部１４６は、それぞれ、第１実施形態のＳＵ制御処理部１４ａにおけるＳＵ制御部１４１、行動検知処理部１４２、ナースコール処理部１４３、ＳＵストリーミング処理部１４４およびＳＵ通知制御部１４６と同様であるので、その説明を省略する。
【０１５２】
ＳＵ管理処理部１４５ｂは、入退場検知部１７の検知結果に基づいてＩＤ装置ＲＤｂから通知された前記特定情報（本実施形態では作業者ＩＤ）を管理するものである。より具体的には、ＳＵ管理処理部１４５ｂは、ＩＤ装置ＲＤｂから作業者ＩＤが通知された場合であって、かつ、入退場検知部１７で入場を検知した場合に、この通知された作業者ＩＤが、ＳＵ入出状況情報記憶部１６１に記憶されているＳＵ入出状況情報テーブルＭＴｂの作業者ＩＤフィールド１６１１（後述の図１６、図１８参照）に登録されていない場合には、新たなレコードを生成し、この新たに生成したレコードの作業者ＩＤフィールド１６１１に前記通知された作業者ＩＤを登録する。一方、ＳＵ管理処理部１４５ｂは、ＩＤ装置ＲＤｂから作業者ＩＤが通知された場合であって、かつ、入退場検知部１７で退場を検知した場合に、この通知された作業者ＩＤが、ＳＵ入出状況情報記憶部１６１に記憶されている前記ＳＵ入出状況情報テーブルＭＴｂの作業者ＩＤフィールド１６１１に登録されている場合には、前記通知された作業者ＩＤを登録するレコードを削除する（前記作業者ＩＤフィールド１６１１から作業者ＩＤを消去する）。このようにＳＵ管理処理部１４５ｂは、入退場検知部１７の検知結果に基づく作業者ＩＤの記憶の有り無しによって、監視領域に対する作業者ＮＳの入出状況を管理する。
【０１５３】
なお、入退場検知部１７が入場のみを検知する場合には、ＩＤ装置ＲＤｂと携帯端末装置ＴＡｂとが互いに近接され、ＩＤ装置ＲＤｂから作業者ＩＤが通知された場合に、ＳＵ管理処理部１４５ｂは、この通知された作業者ＩＤが、ＳＵ入出状況情報記憶部１６１に記憶されている前記ＳＵ入出状況情報テーブルＭＴｂの作業者ＩＤフィールド１６１１に登録されている場合には、前記通知された作業者ＩＤを登録するレコードを削除すれば良い。
【０１５４】
次に、本実施形態の動作について説明する。図１５は、一例として、前記被監視者監視支援システムにおける通知の停止および停止解除に関する第２実施形態の動作を示すシーケンス図である。図１６は、図１５に示す動作におけるＳＵ入出状況情報テーブルの変遷を説明するための図である。図１６には、紙面左側から紙面右側へ順に、時刻ｔ３１、時刻ｔ３２、時刻ｔ３３および時刻ｔ３４それぞれの各ＳＵ入出状況情報テーブルＭＴｂ−ｔ３１、ＭＴｂ−ｔ３２、ＭＴｂ−ｔ３３、ＭＴｂ−ｔ３４が示されている。図１７は、他の一例として、前記被監視者監視支援システムにおける通知の停止および停止解除に関する第２実施形態の動作を示すシーケンス図である。図１８は、図１７に示す動作におけるＳＵ入出状況情報テーブルの変遷を説明するための図である。図１８には、紙面左側から紙面右側へ順に、時刻ｔ４１、時刻ｔ４２、時刻ｔ４３および時刻ｔ４４それぞれの各ＳＵ入出状況情報テーブルＭＴｂ−ｔ４１、ＭＴｂ−ｔ４２、ＭＴｂ−ｔ４３、ＭＴｂ−ｔ４４が示されている。
【０１５５】
上記構成の被監視者監視支援システムＭＳｂでは、各装置ＳＵｂ、ＲＤｂ、ＳＶｂ、ＳＰ、ＴＡｂは、電源が投入されると、必要な各部の初期化を実行し、その稼働を始める。センサ装置ＳＵｂでは、そのＳＵ制御処理プログラムの実行によって、ＳＵ制御処理部１４ｂには、ＳＵ制御部１４１、行動検知処理部１４２、ナースコール処理部１４３、ＳＵストリーミング処理部１４４、ＳＵ管理処理部１４５ｂおよびＳＵ通知制御部１４６が機能的に構成される。管理サーバ装置ＳＶｂおよび携帯端末装置ＴＡｂでは、第１実施形態と同様である。
【０１５６】
以下では、被監視者監視支援システムＭＳｂにおける通知の停止および停止解除に関する第２実施形態の動作について説明する。被監視者監視支援システムＭＳｂにおける所定のイベントの通知に関する動作は、第１実施形態における前記所定のイベントの通知に関する動作と同様であるので、その説明を省略する。
【０１５７】
ここで、以下の説明において、一例として、その当初では、例えばログイン操作の際に、作業者ＮＳ−１が携帯する携帯端末装置ＴＡａ−１には、作業者ＩＤ；「ＩＤ−ＮＡ」が入力され、作業者ＩＤ；「ＩＤ−ＮＡ」が予め記憶され、作業者ＮＳ−２が携帯する携帯端末装置ＴＡａ−２には、作業者ＩＤ；「ＩＤ−ＮＢ」が入力され、作業者ＩＤ；「ＩＤ−ＮＢ」が予め記憶されているものとする。そして、居室ＲＭ−１には、作業者ＮＳが在室せず、ＳＵ入出状況情報記憶部１６１に記憶されているＳＵ入出状況情報テーブルＭＴｂ−ｔ３１には、図１６の紙面左側に示すように、作業者ＩＤが登録（記憶）されていないものとする。
【０１５８】
前記通知の停止および停止解除に関する第２実施形態の動作では、図１５において、例えば所定のイベントの通知等によって、作業者ＮＳ−１は、被監視者Ｏｂの居室ＲＭ−１（監視領域）に入室（入場）する際に、その携行している携帯端末装置ＴＡｂ−１を、前記居室ＲＭ−１に対応して設けられたＩＤ装置ＲＤｂ−１に近接させ、作業者ＩＤ（特定情報）を読み取らせる読み取り操作を行う（Ｃ２１１）。
【０１５９】
携帯端末装置ＴＡｂ−１とＩＤ装置ＲＤｂ−１とは、互いに近接されると、携帯端末装置ＴＡｂ−１は、第１実施形態の処理Ｃ１２と同様に、ＴＡ制御処理部３２の作業者ＩＤ情報出力処理部３２５によって、ＴＡ記憶部３３の作業者ＩＤ情報記憶部３３２に記憶されている作業者ＩＤ；「ＩＤ−ＮＡ」を取り出し、この取り出した作業者ＩＤ；「ＩＤ−ＮＡ」をＴＡＩＦ部３７で送信し（前記作業者ＩＤ；「ＩＤ−ＮＡ」を収容する通信信号をＴＡＩＦ部３７で送信し）、ＩＤ装置ＲＤｂ−１は、携帯端末装置ＴＡｂ−１から送信された作業者ＩＤ；「ＩＤ−ＮＡ」を受信し、これによって作業者ＩＤを携帯端末装置ＴＡｂ−１から読み取る（Ｃ２１２）。
【０１６０】
続いて、ＩＤ装置ＲＤｂ−１は、第１実施形態の処理Ｃ１３と同様に、携帯端末装置ＴＡｂ−１ら読み取った作業者ＩＤ；「ＩＤ−ＮＡ」を、前記居室ＲＭ−１に設けられたセンサ装置ＳＵｂ−１へ通知（前記作業者ＩＤを収容する通信信号を前記センサ装置ＳＵｂ−１へ送信）する（Ｃ２１３）。
【０１６１】
ここで、作業者ＮＳ−１は、上述のように携帯端末装置ＴＡｂ−１とＩＤ装置ＲＤｂ−１とを互いに近接させたが、例えば急な呼び出し等によって、前記居室ＲＭ−１に入室（入場）せずに、前記居室ＲＭ−１から離れると、入退場検知部１７が作業者ＮＳ−１の入場を検知せず、入退場検知部１７から入場の検知結果がＳＵ制御処理部１４ｂへ出力されない。このため、センサ装置ＳＵｂ−１は、以降の処理を行わない。このため、図１６に示す例では、ＩＤ装置ＲＤｂ−１から作業者ＩＤ；「ＩＤ−ＮＡ」の通知を受けても、図１６の紙面左側に示すＳＵ入出状況情報テーブルＭＴｂ−ｔ３１は、図１６の紙面左から２番目に示すＳＵ入出状況情報テーブルＭＴｂ−ｔ３２のように、変わらず、ＳＵ入出状況情報記憶部１６１には、作業者ＩＤの登録の無いＳＵ入出状況情報テーブルＭＴｂ−ｔ３２が記憶される（ＭＴｂ−ｔ３１＝ＭＴｂ−ｔ３２）。したがって、センサ装置ＳＵｂ−１による監視が継続される。なお、センサ装置ＳＵｂは、ＩＤ装置ＲＤｂから作業者ＩＤが通知されてから、予め設定された所定の時間以内（例えば５秒以内や１０秒以内等）に、入退場検知部１７から入場または退場の検知結果が通知されない場合に、今回の処理を終了しても良い。
【０１６２】
そこに、例えば前記所定のイベントの通知等によって、作業者ＮＳ−２は、被監視者Ｏｂの居室ＲＭ−１に入室する際に、その携行している携帯端末装置ＴＡｂ−２を、前記居室ＲＭ−１に対応して設けられたＩＤ装置ＲＤｂ−１に近接させ、作業者ＩＤ（特定情報）を読み取らせる読み取り操作を行う（Ｃ２２１）。
【０１６３】
携帯端末装置ＴＡｂ−２とＩＤ装置ＲＤｂ−１とは、互いに近接されると、上述の処理Ｃ１２と同様に、携帯端末装置ＴＡｂ−２は、その記憶している作業者ＩＤ；「ＩＤ−ＮＢ」を送信し、ＩＤ装置ＲＤｂ−１は、これを受信し、作業者ＩＤ；「ＩＤ−ＮＢ」を携帯端末装置ＴＡｂ−１から読み取る（Ｃ２２２）。
【０１６４】
続いて、ＩＤ装置ＲＤｂ−１は、上述の処理Ｃ１３と同様に、携帯端末装置ＴＡｂ−２から読み取った作業者ＩＤ；「ＩＤ−ＮＢ」を、前記居室ＲＭ−１に設けられたセンサ装置ＳＵｂ−１へ通知する（Ｃ２２３）。
【０１６５】
作業者ＮＳ−２が前記居室ＲＭ−１に入室すると、入退場検知部１７は、作業者ＮＳ−２の入場を検知し、入場の検知結果をＳＵ制御処理部１４ｂへ出力する（Ｃ２２４）。
【０１６６】
ＩＤ装置ＲＤｂ−１から作業者ＩＤ；「ＩＤ−ＮＢ」の通知を受け、かつ、入退場検知部１７から入場の検知結果を受けると、センサ装置ＳＵｂ−１は、前記居室ＲＭ−１に対する作業者ＮＳの入出状況を処理するために、ＳＵ制御処理部１４ｂのＳＵ管理処理部１４５ｂによって、ＩＤ装置ＲＤｂ−１から通知された作業者ＩＤ；「ＩＤ−ＮＢ」を管理する（Ｃ２２５）。より具体的には、この通知された作業者ＩＤ；「ＩＤ−ＮＢ」が、ＳＵ入出状況情報記憶部１６１に記憶されているＳＵ入出状況情報テーブルＭＴｂの作業者ＩＤフィールド１６１１に登録されていない場合には、ＳＵ管理処理部１４５ｂは、新たなレコードを生成し、この新たに生成したレコードの作業者ＩＤフィールド１６１１に前記通知された作業者ＩＤ；「ＩＤ−ＮＢ」を登録する。一方、この通知された作業者ＩＤ；「ＩＤ−ＮＢ」が、ＳＵ入出状況情報記憶部１６１に記憶されているＳＵ入出状況情報テーブルＭＴｂの作業者ＩＤフィールド１６１１に登録されている場合には、ＳＵ管理処理部１４５ｂは、前記通知された作業者ＩＤ；「ＩＤ−ＮＢ」を登録するレコードを削除する（作業者ＩＤフィールド１６１１から作業者ＩＤを消去する）。
【０１６７】
図１６に示す例では、ＩＤ装置ＲＤｂ−１から作業者ＩＤ；「ＩＤ−ＮＢ」の通知を受け、かつ、入退場検知部１７から入場の検知結果を受けると、この通知された作業者ＩＤ；「ＩＤ−ＮＢ」が、ＳＵ入出状況情報記憶部１６１に記憶されているＳＵ入出状況情報テーブルＭＴｂ−ｔ３２の作業者ＩＤフィールド１６１１に登録されていないので、ＳＵ管理処理部１４５ｂは、新たなレコードを生成し、この新たに生成したレコードの作業者ＩＤフィールド１６１１に前記通知された作業者ＩＤ；「ＩＤ−ＮＢ」を登録する。これによって図１６の紙面左から２番目に示すＳＵ入出状況情報テーブルＭＴｂ−ｔ３２からその紙面右から２番目に示すＳＵ入出状況情報テーブルＭＴｂ−ｔ３３となり、ＳＵ入出状況情報記憶部１６１には、作業者ＩＤ；「ＩＤ−ＮＢ」を登録したＳＵ入出状況情報テーブルＭＴｂ−ｔ３３が記憶される。
【０１６８】
続いて、ＳＵ入出状況情報テーブルＭＴｂ−ｔ３２がＳＵ入出状況情報テーブルＭＴｂ−ｔ３３へ更新されると、ＳＵ管理処理部１４５ｂで管理されているＳＵ入出状況情報テーブルＭＴｂ−ｔ３３に、作業者ＩＤ；「ＩＤ−ＮＢ」が有るので、センサ装置ＳＵｂ−１は、停止指示を通知するために、第１実施形態の処理Ｃ１５と同様に、ＳＵ制御処理部１４ｂのＳＵ通知制御部１４６によって、停止指示通知通信信号を管理サーバ装置ＳＶｂへ送信する（Ｃ２２６）。より具体的には、ＳＵ通知制御部１４６は、作業者ＩＤ；「ＩＤ−ＮＢ」を携帯端末装置ＴＡｂ−２から読み取ったＩＤ装置ＲＤｂ−１の設けられた前記居室ＲＭ−１（当該センサ装置ＳＵｂ−１が監視する前記居室ＲＭ−１、当該センサ装置ＳＵｂ−１の設けられた前記居室ＲＭ−１）での検知の通知を停止するために、自機のセンサＩＤ：「ＳＵ−１」および停止命令を収容した停止指示通知通信信号を管理サーバ装置ＳＶｂ宛に生成し、この生成した停止指示通知通信信号をＳＵ通信ＩＦ部１５で送信する。
【０１６９】
センサ装置ＳＵｂ−１から停止指示通知通信信号を受信すると、管理サーバ装置ＳＶｂは、第１実施形態の処理Ｃ１６と同様に、ＳＶ制御処理部２２のＳＶ通知制御部２２３によって、前記センサ装置ＳＵｂ−１からのイベントの通知を制御する処理を実行する（Ｃ２２７、通知制御処理（通知停止処理））。より具体的には、ＳＶ通知制御部２２３は、センサ装置ＳＵｂ−１から停止指示通知通信信号を受信したので、この受信した停止指示通知通信信号に収容されているセンサＩＤ；「ＳＵ−１」および停止命令を取り出し、この取り出したセンサＩＤ；「ＳＵ−１」を送信元フィールド２３２１に登録するレコードを、通知先対応関係情報テーブルＡＴから選定（検索）し、この選定したレコードにおける通知許否フラグフィールド２３２３に、前記取り出した停止命令に従って、通知許否フラグ「１」を登録する。これによって上述のように所定のイベントを所定の端末装置ＳＰ、ＴＡｂへ通知する際における前記通知が停止される。
【０１７０】
そして、例えば前記所定のイベントの通知に対する対処等の終了によって、前記居室ＲＭ−１に在室している作業者ＮＳ−２は、退出する際に、その携行している携帯端末装置ＴＡｂ−２を、前記居室ＲＭ−１に対応して設けられたＩＤ装置ＲＤｂ−１に近接させ、作業者ＩＤを読み取らせる読み取り操作を行う（Ｃ２３１）。
【０１７１】
携帯端末装置ＴＡｂ−２とＩＤ装置ＲＤｂ−１とは、互いに近接されると、上述の処理Ｃ１２と同様に、携帯端末装置ＴＡｂ−２では、作業者ＩＤ情報出力処理部３２５は、作業者ＩＤ情報記憶部３３２に記憶されている作業者ＩＤ；「ＩＤ−ＮＢ」を取り出し、この取り出した作業者ＩＤ；「ＩＤ−ＮＢ」をＴＡＩＦ部３７で送信し、ＩＤ装置ＲＤｂ−１は、携帯端末装置ＴＡｂ−２から送信された作業者ＩＤ；「ＩＤ−ＮＢ」を受信し、これによって作業者ＩＤ；「ＩＤ−ＮＢ」を携帯端末装置ＴＡｂ−２から読み取る（Ｃ２３２）。
【０１７２】
続いて、ＩＤ装置ＲＤｂ−１は、上述の処理Ｃ１３と同様に、携帯端末装置ＴＡｂ−２から読み取った作業者ＩＤ；「ＩＤ−ＮＢ」を、前記居室ＲＭ−１に設けられたセンサ装置ＳＵｂ−１へ通知する（Ｃ２３３）。
【０１７３】
作業者ＮＳ−２が前記居室ＲＭ−１に退室すると、入退場検知部１７は、作業者ＮＳ−２の退場を検知し、退場の検知結果をＳＵ制御処理部１４ｂへ出力する（Ｃ２３４）。
【０１７４】
ＩＤ装置ＲＤｂ−１から作業者ＩＤ；「ＩＤ−ＮＢ」の通知を受け、かつ、入退場検知部１７から退場の検知結果を受けると、センサ装置ＳＵｂ−１は、前記居室ＲＭ−１に対する作業者ＮＳの入出状況を処理するために、ＳＵ制御処理部１４ｂのＳＵ管理処理部１４５ｂによって、ＩＤ装置ＲＤｂ−１から通知された作業者ＩＤ；「ＩＤ−ＮＢ」を管理する（Ｃ２３５）。より具体的には、ここでは、図１６の紙面右から２番目に示すように、この通知された作業者ＩＤ；「ＩＤ−ＮＢ」が、ＳＵ入出状況情報記憶部１６１に記憶されているＳＵ入出状況情報テーブルＭＴｂ−ｔ３３の作業者ＩＤフィールド１６１１に登録されているので、ＳＵ管理処理部１４５ｂは、前記通知された作業者ＩＤ；「ＩＤ−ＮＢ」を登録するレコードを削除する。これによって図１６の紙面右から２番目に示すＳＵ入出状況情報テーブルＭＴｂ−ｔ３３からその紙面右側に示すＳＵ入出状況情報テーブルＭＴｂ−ｔ３４となり、ＳＵ入出状況情報記憶部１６１には、作業者ＩＤ；「ＩＤ−ＮＢ」を登録したレコードが無くなって、作業者ＩＤを１つも登録しないＳＵ入出状況情報テーブルＭＴｂ−ｔ３４が記憶される。
【０１７５】
続いて、ＳＵ入出状況情報テーブルＭＴｂ−ｔ３３がＳＵ入出状況情報テーブルＭＴｂ−ｔ３４へ更新されると、ＳＵ管理処理部１４５ｂで管理されているＳＵ入出状況情報テーブルＭＴｂ−ｔ３４に、作業者ＩＤが無いので、センサ装置ＳＵｂ−１は、第１実施形態の処理Ｃ２５と同様に、停止解除指示を通知するために、ＳＵ制御処理部１４ｂのＳＵ通知制御部１４６によって、停止解除指示通知通信信号を管理サーバ装置ＳＶｂへ送信する（Ｃ２３６）。より具体的には、ＳＵ通知制御部１４６は、作業者ＩＤ；「ＩＤ−ＮＢ」を携帯端末装置ＴＡｂ−２から読み取ったＩＤ装置ＲＤｂ−１の設けられた前記居室ＲＭ−１（当該センサ装置ＳＵｂ−１が監視する前記居室ＲＭ−１、当該センサ装置ＳＵｂ−１の設けられた前記居室ＲＭ−１）での検知の通知の停止を解除するために、自機のセンサＩＤ；「ＳＵ−１」および停止解除命令を収容した停止解除指示通知通信信号を管理サーバ装置ＳＶｂ宛に生成し、この生成した停止解除指示通知通信信号をＳＵ通信ＩＦ部１５で送信する。
【０１７６】
センサ装置ＳＵｂ−１から停止解除指示通知通信信号を受信すると、ＳＶ制御処理部２２のＳＶ通知制御部２２３によって、管理サーバ装置ＳＶｂは、第１実施形態の処理Ｃ２６と同様に、前記センサ装置ＳＵｂからのイベントの通知を制御する処理を実行する（Ｃ２３７、通知制御処理（通知停止解除処理））。より具体的には、ＳＶ通知制御部２２３は、センサ装置ＳＵｂ−１から停止解除指示通知通信信号を受信したので、ＳＶ通知制御部２２３は、この受信した停止解除指示通知通信信号に収容されているセンサＩＤ；「ＳＵ−１」および停止解除命令を取り出し、この取り出したセンサＩＤ；「ＳＵ−１」を送信元フィールド２３２１に登録するレコードを、通知先対応関係情報テーブルＡＴから選定（検索）し、この選定したレコードにおける通知許否フラグフィールド２３２３に、前記取り出した停止解除命令に従って、通知許否フラグ「０」を登録する。これによって前記所定のイベントを所定の端末装置ＳＰ、ＴＡｂへ通知する際における前記通知の停止が解除され、上述のように所定のイベントが所定の端末装置ＳＰ、ＴＡｂへ通知される。
【０１７７】
上述では、最初に前記居室ＲＭ−１を訪れた作業者ＮＳ−１が入室せずに前記居室ＲＭ−１から離れ、次に前記居室ＲＭ−１を訪れた作業者ＮＳ−２が入室したケースについて説明したが、逆に、最初に前記居室ＲＭ−１を訪れた作業者ＮＳ−１が入室し、次に前記居室ＲＭ−１を訪れた作業者ＮＳ−２が作業者ＮＳ−１の在室を見て入室しないケースについて以下に説明する。ここで、以下の説明において、その当初では、居室ＲＭ−１には、作業者ＮＳが在室せず、ＳＵ入出状況情報記憶部１６１に記憶されているＳＵ入出状況情報テーブルＭＴｂ−ｔ４１には、図１８の紙面左側に示すように、作業者ＩＤが登録（記憶）されていないものとする。
【０１７８】
このようなケースでは、例えば所定のイベントの通知等によって、作業者ＮＳ−１は、被監視者Ｏｂの居室ＲＭ−１に入室する際に、その携行している携帯端末装置ＴＡｂ−１を、前記居室ＲＭ−１に対応して設けられたＩＤ装置ＲＤｂ−１に近接させ、作業者ＩＤを読み取らせる読み取り操作を行う（Ｃ２４１）。
【０１７９】
携帯端末装置ＴＡｂ−１とＩＤ装置ＲＤｂ−１とは、互いに近接されると、上述の処理Ｃ１２と同様に、携帯端末装置ＴＡｂ−２は、その記憶している作業者ＩＤ；「ＩＤ−ＮＡ」を送信し、ＩＤ装置ＲＤｂ−１は、これを受信し、作業者ＩＤ；「ＩＤ−ＮＡ」を携帯端末装置ＴＡｂ−１から読み取る（Ｃ２４２）。
【０１８０】
続いて、ＩＤ装置ＲＤｂ−１は、上述の処理Ｃ１３と同様に、携帯端末装置ＴＡｂ−１から読み取った作業者ＩＤ；「ＩＤ−ＮＡ」を、前記居室ＲＭ−１に設けられたセンサ装置ＳＵｂ−１へ通知する（Ｃ２４３）。
【０１８１】
作業者ＮＳ−１が前記居室ＲＭ−１に入室すると、入退場検知部１７は、作業者ＮＳ−１の入場を検知し、入場の検知結果をＳＵ制御処理部１４ｂへ出力する（Ｃ２４４）。
【０１８２】
ＩＤ装置ＲＤｂ−１から作業者ＩＤ；「ＩＤ−ＮＡ」の通知を受け、かつ、入退場検知部１７から入場の検知結果を受けると、センサ装置ＳＵｂ−１は、前記居室ＲＭ−１に対する作業者ＮＳの入出状況を処理するために、ＳＵ制御処理部１４ｂのＳＵ管理処理部１４５ｂによって、ＩＤ装置ＲＤｂ−１から通知された作業者ＩＤ；「ＩＤ−ＮＡ」を管理する（Ｃ２４５）。ここでは、図１８の紙面左側に示すように、この通知された作業者ＩＤ；「ＩＤ−ＮＡ」が、ＳＵ入出状況情報記憶部１６１に記憶されているＳＵ入出状況情報テーブルＭＴｂ−ｔ４１の作業者ＩＤフィールド１６１１に登録されていないので、ＳＵ管理処理部１４５ｂは、新たなレコードを生成し、この新たに生成したレコードの作業者ＩＤフィールド１６１１に前記通知された作業者ＩＤ；「ＩＤ−ＮＡ」を登録する。これによって図１８の紙面左側に示すＳＵ入出状況情報テーブルＭＴｂ−ｔ４１からその紙面左から２番目に示すＳＵ入出状況情報テーブルＭＴｂ−ｔ４２となり、ＳＵ入出状況情報記憶部１６１には、作業者ＩＤ；「ＩＤ−ＮＡ」を登録したＳＵ入出状況情報テーブルＭＴｂ−ｔ４２が記憶される。
【０１８３】
続いて、ＳＵ入出状況情報テーブルＭＴｂ−ｔ４１がＳＵ入出状況情報テーブルＭＴｂ−ｔ４２へ更新されると、ＳＵ管理処理部１４５ｂで管理されているＳＵ入出状況情報テーブルＭＴｂ−ｔ４２に、作業者ＩＤ；「ＩＤ−ＮＡ」が有るので、センサ装置ＳＵｂ−１は、上述の処理Ｃ１５と同様に、停止指示を通知するために、ＳＵ通知制御部１４６によって、自機のセンサＩＤ；「ＳＵ−１」および停止命令を収容する停止指示通知通信信号を管理サーバ装置ＳＶｂへ送信する（Ｃ２４６）。
【０１８４】
センサ装置ＳＵｂ−１から停止指示通知通信信号を受信すると、管理サーバ装置ＳＶｂは、上述の処理Ｃ１６と同様に、ＳＶ通知制御部２２３によって、前記センサ装置ＳＵｂ−１からのイベントの通知を制御する処理を実行する（Ｃ２４７、通知制御処理（通知停止処理））。より具体的には、ＳＶ通知制御部２２３は、前記受信した停止指示通知通信信号に収容されているセンサＩＤ；「ＳＵ−１」を送信元フィールド２３２１に登録するレコードにおける通知許否フラグフィールド２３２３に、前記受信した停止指示通知通信信号に収容されている停止命令に従って、通知許否フラグ「１」を登録する。これによって上述のように所定のイベントを所定の端末装置ＳＰ、ＴＡｂへ通知する際における前記通知が停止される。
【０１８５】
そこに、例えば前記所定のイベントの通知等によって、作業者ＮＳ−２は、被監視者Ｏｂの居室ＲＭ−１に入室する際に、その携行している携帯端末装置ＴＡｂ−２を、前記居室ＲＭ−１に対応して設けられたＩＤ装置ＲＤｂ−１に近接させ、作業者ＩＤ（特定情報）を読み取らせる読み取り操作を行う（Ｃ２５１）。
【０１８６】
携帯端末装置ＴＡｂ−２とＩＤ装置ＲＤｂ−１とは、互いに近接されると、上述の処理Ｃ１２と同様に、携帯端末装置ＴＡｂ−２は、その記憶している作業者ＩＤ；「ＩＤ−ＮＢ」を送信し、ＩＤ装置ＲＤｂ−１は、これを受信し、作業者ＩＤ；「ＩＤ−ＮＢ」を携帯端末装置ＴＡｂ−２から読み取る（Ｃ２５２）。
【０１８７】
続いて、ＩＤ装置ＲＤｂ−１は、上述の処理Ｃ１３と同様に、携帯端末装置ＴＡｂ−２から読み取った作業者ＩＤ；「ＩＤ−ＮＢ」を、前記居室ＲＭ−１に設けられたセンサ装置ＳＵｂ−１へ通知する（Ｃ２５３）。
【０１８８】
ここで、作業者ＮＳ−２は、上述のように携帯端末装置ＴＡｂ−２とＩＤ装置ＲＤｂ−１とを互いに近接させたが、前記居室ＲＭ−１に作業者ＮＳ−１の在室を見て前記居室ＲＭ−１に入室（入場）せずに、前記居室ＲＭ−１から離れると、入退場検知部１７が作業者ＮＳ−２の入場を検知せず、入退場検知部１７から入場の検知結果がＳＵ制御処理部１４ｂへ出力されない。このため、センサ装置ＳＵｂ−１は、以降の処理を行わない。このため、図１８に示す例では、ＩＤ装置ＲＤｂ−１から作業者ＩＤ；「ＩＤ−ＮＢ」の通知を受けても、図１８の紙面左から２番目に示すＳＵ入出状況情報テーブルＭＴｂ−ｔ４２は、図１８の紙面右から２番目に示すＳＵ入出状況情報テーブルＭＴｂ−ｔ４３のように、変わらず、ＳＵ入出状況情報記憶部１６１には、作業者ＩＤ；「ＩＤ−ＮＡ」のみを登録したＳＵ入出状況情報テーブルＭＴｂ−ｔ４３が記憶される（ＭＴｂ−ｔ４２＝ＭＴｂ−ｔ４３）。したがって、センサ装置ＳＵｂ−１による監視停止が継続される。
【０１８９】
そして、例えば前記所定のイベントの通知に対する対処等の終了によって、前記居室ＲＭ−１に在室している作業者ＮＳ−１は、退出する際に、その携行している携帯端末装置ＴＡｂ−２を、前記居室ＲＭ−１に対応して設けられたＩＤ装置ＲＤｂ−１に近接させ、作業者ＩＤを読み取らせる読み取り操作を行う（Ｃ２６１）。
【０１９０】
携帯端末装置ＴＡｂ−１とＩＤ装置ＲＤｂ−１とは、互いに近接されると、上述の処理Ｃ１２と同様に、携帯端末装置ＴＡｂ−１は、その記憶している作業者ＩＤ；「ＩＤ−ＮＡ」を送信し、ＩＤ装置ＲＤｂ−１は、これを受信し、作業者ＩＤ；「ＩＤ−ＮＡ」を携帯端末装置ＴＡｂ−１から読み取る（Ｃ２６２）。
【０１９１】
続いて、ＩＤ装置ＲＤｂ−１は、上述の処理Ｃ１３と同様に、携帯端末装置ＴＡｂ−１から読み取った作業者ＩＤ；「ＩＤ−ＮＡ」を、前記居室ＲＭ−１に設けられたセンサ装置ＳＵｂ−１へ通知する（Ｃ２６３）。
【０１９２】
作業者ＮＳ−１が前記居室ＲＭ−１に退室すると、入退場検知部１７は、作業者ＮＳ−１の退場を検知し、退場の検知結果をＳＵ制御処理部１４ｂへ出力する（Ｃ２６４）。
【０１９３】
ＩＤ装置ＲＤｂ−１から作業者ＩＤ；「ＩＤ−ＮＡ」の通知を受け、かつ、入退場検知部１７から退場の検知結果を受けると、センサ装置ＳＵｂ−１は、前記居室ＲＭ−１に対する作業者ＮＳの入出状況を処理するために、ＳＵ制御処理部１４ｂのＳＵ管理処理部１４５ｂによって、ＩＤ装置ＲＤｂ−１から通知された作業者ＩＤ；「ＩＤ−ＮＡ」を管理する（Ｃ２６５）。より具体的には、ここでは、図１８の紙面右から２番目に示すように、この通知された作業者ＩＤ；「ＩＤ−ＮＡ」が、ＳＵ入出状況情報記憶部１６１に記憶されているＳＵ入出状況情報テーブルＭＴｂ−ｔ４３の作業者ＩＤフィールド１６１１に登録されているので、ＳＵ管理処理部１４５ｂは、前記通知された作業者ＩＤ；「ＩＤ−ＮＡ」を登録するレコードを削除する。これによって図１８の紙面右から２番目に示すＳＵ入出状況情報テーブルＭＴｂ−ｔ４３からその紙面右側に示すＳＵ入出状況情報テーブルＭＴｂ−ｔ４４となり、ＳＵ入出状況情報記憶部１６１には、作業者ＩＤ；「ＩＤ−ＮＡ」を登録したレコードが無くなって、作業者ＩＤを１つも登録しないＳＵ入出状況情報テーブルＭＴｂ−ｔ４４が記憶される。
【０１９４】
続いて、ＳＵ入出状況情報テーブルＭＴｂ−ｔ４３がＳＵ入出状況情報テーブルＭＴｂ−ｔ４４へ更新されると、ＳＵ管理処理部１４５ｂで管理されているＳＵ入出状況情報テーブルＭＴｂ−ｔ４４に、作業者ＩＤが無いので、センサ装置ＳＵｂ−１は、上述の処理Ｃ２５と同様に、停止解除指示を通知するために、ＳＵ通知制御部１４６によって、自機のセンサＩＤ；「ＳＵ−１」および停止解除命令を収容する停止解除指示通知通信信号を管理サーバ装置ＳＶｂへ送信する（Ｃ２６６）。
【０１９５】
センサ装置ＳＵｂ−１から停止解除指示通知通信信号を受信すると、管理サーバ装置ＳＶｂは、上述の処理Ｃ２６と同様に、ＳＶ制御処理部２２のＳＶ通知制御部２２３によって、前記センサ装置ＳＵｂからのイベントの通知を制御する処理を実行する（Ｃ２６７、通知制御処理（通知停止解除処理））。より具体的には、ＳＶ通知制御部２２３は、前記受信した停止解除指示通知通信信号に収容されているセンサＩＤ；「ＳＵ−１」を送信元フィールド２３２１に登録するレコードにおける通知許否フラグフィールド２３２３に、前記受信した停止解除指示通知通信信号に収容されている停止解除命令に従って、通知許否フラグ「０」を登録する。これによって前記所定のイベントを所定の端末装置ＳＰ、ＴＡｂへ通知する際における前記通知の停止が解除され、上述のように所定のイベントが所定の端末装置ＳＰ、ＴＡｂへ通知される。
【０１９６】
被監視者監視支援システムＭＳｂは、前記通知の停止および停止解除に関し、このように動作している。
【０１９７】
以上説明したように、被監視者監視支援システムＭＳｂおよびこれに実装される被監視者監視支援方法は、第１実施形態における被監視者監視支援システムＭＳａと同様に、作業者ＮＳの入場に応じて監視機能の停止を制御できる。
【０１９８】
入場前の目視によって被監視者への対処が不要と判断されたり、状況の変化によって他の場所に向かう必要が乗じたり等のために、作業者ＮＳは、ＩＤ装置ＲＤｂに特定情報を読み取らせたものの、当該監視領域に入場しない場合も有り得る。上記被監視者監視支援システムＭＳｂおよび被監視者監視支援方法は、入退場検知部１７をさらに備え、入退場検知部１７で入場有りを検知した場合に、前記検知の通知を停止する。このため、作業者ＮＳが特定情報（本実施形態では作業者ＩＤ）を読み取らせたものの、当該監視領域（本実施形態では居室ＲＭ）に入場しなかった場合、前記検知の通知の停止は、行われず、そのまま前記検知の通知が行われる。したがって、上記被監視者監視支援システムＭＳｂおよび被監視者監視支援方法は、より確実に、作業者ＮＳの入場に応じて監視機能の停止を制御できる。
【０１９９】
本明細書は、上記のように様々な態様の技術を開示しているが、そのうち主な技術を以下に纏める。
【０２００】
一態様にかかる被監視者監視支援システムは、監視領域に所在する監視対象の被監視者に関わる所定のイベントを検知して通知することによって前記被監視者の監視を支援する被監視者監視支援システムであって、所定の作業者を特定する特定情報を外部から読み取って前記特定情報を通知する読取通知部と、前記読取通知部から通知された前記特定情報を管理する管理部と、前記管理部で管理されている前記特定情報が有る場合に、前記特定情報を外部から読み取った前記読取通知部の設けられた前記監視領域での検知の通知を停止する通知制御部とを備える。好ましくは、上述の被監視者監視支援システムにおいて、前記監視領域は、前記被監視者が居る居室である。好ましくは、前記居室は、病院、介護施設および住戸のうちのいずれかに配設される。好ましくは、上述の被監視者監視支援システムにおいて、前記監視領域は、前記被監視者が使用する寝具を含む所定の領域である。好ましくは、前記寝具は、病院、介護施設および住戸のうちのいずれかに配設される。好ましくは、上述の被監視者監視支援システムにおいて、前記所定のイベントは、前記被監視者における所定の行動を含む。好ましくは、前記所定の行動は、起床、離床、転倒および転落のうちの少なくとも１つを含む。好ましくは、上述の被監視者監視支援システムにおいて、前記所定のイベントは、ナースコールを含む。好ましくは、上述の被監視者監視支援システムにおいて、前記読取通知部は、前記特定情報を記憶するＩＣカード（ＲＦタグ）または磁気カードから前記特定情報を読み取り、前記読み取った前記特定情報を有線通信または無線通信で前記管理部へ通知するカードリーダである。好ましくは、上述の被監視者監視支援システムにおいて、前記読取通知部は、前記特定情報を表す１次元コード（バーコード）または２次元コードから前記特定情報を読み取り、前記読み取った前記特定情報を有線通信または無線通信で前記管理部へ通知するコードリーダである。好ましくは、上述の被監視者監視支援システムにおいて、前記読取通知部は、前記特定情報を記憶する携帯電話装置、スマートフォンまたはタブレット端末装置から無線通信で前記特定情報を読み取り、前記読み取った前記特定情報を有線通信または無線通信で前記管理部へ通知するリーダである。好ましくは、上述の被監視者監視支援システムにおいて、前記読取通知部は、前記特定情報を記憶する携帯電話装置、スマートフォンまたはタブレット端末装置から無線通信で前記特定情報を読み取り、前記読み取った前記特定情報を有線通信または無線通信で前記管理部へ通知するタブレット端末装置である。
【０２０１】
このような被監視者監視支援システムは、読取通知部で特定情報を読み取ってから、前記読取通知部から通知された前記特定情報を管理部で管理し、管理下の特定情報が有る場合に、前記監視領域での検知の通知を停止する。このため、上記被監視者監視支援システムは、作業者による、読取通知部での読み取り操作という比較的簡単な操作で監視機能を停止でき、上記被監視者監視支援システムは、前記特定情報を外部から読み取った前記読取通知部の設けられた前記監視領域での、前記検知の通知を停止するので、確実に、所望の被監視者（監視領域）の監視機能を停止できる。上記被監視者監視支援システムは、管理下の特定情報が有る場合に、前記監視領域での検知の通知を停止するので、作業者の入場によって監視機能を停止でき、部外者によって監視機能が停止することがない。したがって、上記被監視者監視支援システムは、作業者の入場に応じて監視機能の停止を制御できる。
【０２０２】
他の一態様では、上述の被監視者監視支援システムにおいて、前記監視領域に対応して設けられ、前記監視領域内への入場の有無を検知する入場検知部をさらに備え、前記通知制御部は、さらに、前記特定情報を外部から読み取った前記読取通知部の設けられた前記監視領域に対応する前記入場検知部で入場有りを検知した場合に、前記検知の通知を停止する。好ましくは、上述の被監視者監視支援システムにおいて、前記入場検知部は、前記監視領域の境界に配置され、前記監視領域を検知領域とする赤外線型人感センサと、前記赤外線型人感センサの検知結果に応じて前記監視領域内への入場の有無を判定する入場判定部とを備える。好ましくは、上述の被監視者監視支援システムにおいて、前記入場検知部は、前記監視領域の境界に、所定の高さ位置に入場方向に沿って並置するように配設された複数の発光部と、前記複数の発光部から前記入場方向と直交する直交方向で所定の幅（例えば人幅以上の長さ等）で離間するように、かつ、前記複数の発光部それぞれから発光された各光をそれぞれ受光するように配設された複数の受光部と、前記複数の受光部それぞれの各受光結果に応じて前記監視領域内への入場の有無を判定する入場判定部とを備える。
【０２０３】
入場前の目視によって被監視者への対処が不要と判断されたり、状況の変化によって他の場所に向かう必要が乗じたり等のために、作業者は、読取通知部に特定情報を読み取らせたものの、当該監視領域に入場しない場合も有り得る。上記被監視者監視支援システムは、入場検知部をさらに備え、前記入場検知部で入場有りを検知した場合に、前記検知の通知を停止する。すなわち、前記通知制御部は、前記管理部で管理されている前記特定情報が有る場合であって、かつ、前記特定情報を外部から読み取った前記読取通知部の設けられた前記監視領域に対応する前記入場検知部で、入場有りを検知した場合に、前記検知の通知を停止する。このため、作業者が読取通知部に特定情報を読み取らせたものの、当該監視領域に入場しなかった場合、前記検知の通知の停止は、行われず、そのまま前記検知の通知が行われる。したがって、上記被監視者監視支援システムは、より確実に、作業者の入場に応じて監視機能の停止を制御できる。
【０２０４】
他の一態様では、これら上述の被監視者監視支援システムにおいて、前記管理部は、既に管理している前記特定情報が前記読取通知部からさらに通知された場合に、前記既に管理している前記特定情報の管理を解除し、前記通知制御部は、前記管理部で管理されている前記特定情報が無くなった場合に、前記管理の無くなった前記特定情報を外部から読み取った前記読取通知部の設けられた前記監視領域での前記検知の通知の停止を解除する。
【０２０５】
このような被監視者監視支援システムは、管理下の特定情報が読取通知部からさらに通知された場合に、特定情報の作業者が監視領域から退場したと推定し、前記管理下の前記特定情報の管理を解除する。そして、上記被監視者監視支援システムは、前記管理部で管理されている前記特定情報が無くなった場合に、すなわち、前記監視領域に作業者が居なくなった場合に、前記監視領域での、前記検知の通知の停止を解除する。したがって、上記被監視者監視支援システムは、作業者による、読取通知部での再度の読み取り操作という比較的簡単な操作で監視機能の停止を解除できる。
【０２０６】
他の一態様では、これら上述のいずれかの被監視者監視支援システムであって、監視領域に対応して設けられ、前記監視領域に所在する監視対象の被監視者に関わる所定のイベントを検知するセンサ装置と、前記センサ装置と通信可能に接続され前記センサ装置から受信した検知結果を管理する中央管理装置と、前記中央管理装置と通信可能に接続され前記中央管理装置を介して前記検知結果を受信して表示する端末装置とを備え、前記通知制御部は、第１および第２サブ通知制御部から成り、前記端末装置は、前記特定情報を記憶し、前記読取通知部は、前記特定情報を前記端末装置から読み取って前記特定情報を前記センサ装置へ通知し、前記センサ装置は、前記管理部と、前記第１サブ通知制御部とを備え、前記第１サブ通知制御部は、前記管理部で管理されている前記特定情報が有る場合に、前記特定情報を前記端末装置から読み取った前記読取通知部の設けられた前記監視領域での前記検知結果の通知を停止するための制御信号を前記中央管理装置へ送信し、前記中央管理装置は、前記第２サブ通知制御部を備え、前記第２サブ通知制御部は、前記センサ装置から前記制御信号を受信した場合に、前記特定情報を前記端末装置から読み取った前記読取通知部の設けられた前記監視領域での前記検知の通知を停止する。
【０２０７】
このような被監視者監視支援システムは、これら上述のいずれかのシステムを備えるので、作業者の入場に応じて監視機能の停止を制御できる。
【０２０８】
本発明の他の一態様にかかる被監視者監視支援方法は、監視領域に所在する監視対象の被監視者に関わる所定のイベントを検知して通知することによって前記被監視者の監視を支援する被監視者監視支援方法であって、読取通知部により、所定の作業者を特定する特定情報を外部から読み取って前記特定情報を通知する読取通知工程と、前記読取通知工程から通知された前記第１特定情報を管理する管理工程と、前記管理工程で管理されている前記特定情報が有る場合に、前記特定情報を外部から読み取った前記読取通知部の設けられた前記監視領域での検知の通知を停止する通知制御工程とを備える。
【０２０９】
このような被監視者監視支援方法は、読取通知部で特定情報を読み取ってから、前記読取通知部から通知された前記特定情報を管理し、管理下の特定情報が有る場合に、前記監視領域での検知の通知を停止する。このため、上記被監視者監視支援方法は、作業者による、読取通知部での読み取り操作という比較的簡単な操作で監視機能を停止でき、上記被監視者監視支援方法は、前記特定情報を外部から読み取った前記読取通知部の設けられた前記監視領域での、前記検知の通知を停止するので、確実に、所望の被監視者（監視領域）の監視機能を停止できる。上記被監視者監視支援方法は、管理下の特定情報が有る場合に、前記監視領域での検知の通知を停止するので、作業者の入場によって監視機能を停止でき、部外者によって監視機能が停止することがない。したがって、上記被監視者監視支援方法は、作業者の入場に応じて監視機能の停止を制御できる。
【０２１０】
この出願は、２０１８年２月５日に出願された日本国特許出願特願２０１８−１８４１８を基礎とするものであり、その内容は、本願に含まれるものである。
【０２１１】
本発明の実施形態が詳細に図示され、かつ、説明されたが、それは単なる図例及び実例であって限定ではない。本発明の範囲は、添付されたクレームの文言によって解釈されるべきである。
【０２１２】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０２１３】
本発明によれば、監視対象である被監視者の監視を支援する被監視者監視支援システムおよび被監視者監視支援方法が提供できる。
【図１】
2019150684.tif 000003
【図２】
2019150684.tif 000004
【図３】
2019150684.tif 000005
【図４】
2019150684.tif 000006
【図５】
2019150684.tif 000007
【図６】
2019150684.tif 000008
【図７】
2019150684.tif 000009
【図８】
2019150684.tif 000010
【図９】
2019150684.tif 000011
【図１０】
2019150684.tif 000012
【図１１】
2019150684.tif 000013
【図１２】
2019150684.tif 000014
【図１３】
2019150684.tif 000015
【図１４】
2019150684.tif 000016
【図１５】
2019150684.tif 000017
【図１６】
2019150684.tif 000018
【図１７】
2019150684.tif 000019
【図１８】
2019150684.tif 000020
【国際調査報告】
2019150684.tif 000021
2019150684.tif 000022
2019150684.tif 000023
2019150684.tif 000024